(57)【要約】ＢＯＰリグのためのＨＭＩ制御システムの方法、装置、システム、および実装が、開示される。開示されるシステムの少なくともいくつかのバージョンは、ユーザが、インターフェース設定を構成し、ＢＯＰスタック上でアクションを実施し、診断を視認し、試験を実施し、アラームを観察および是正することを可能にする。開示されるシステムは、ユーザが、異なるインターフェース間をより効率的にナビゲートし、制御ゾーン構成によるＨＭＩ機能を果たすことを可能にし得る。加えて、制御ゾーン構成は、特定の制御ゾーンを特定の機能に割り当て、破壊機能を果たすために積極的な措置を講じるようユーザに要求することによって、オペレータエラーを低減させ得る。
2019517703.tif 000002
【特許請求の範囲】
【請求項１】
ヒューマンマシンインターフェース（ＨＭＩ）アプリケーションを実装するためのコンピューティングシステムであって、前記コンピューティングシステムは、
メモリデバイスと、
１つまたは複数のグラフィカル要素を備えるグラフィカルユーザインターフェース（ＧＵＩ）の表示を可能にするように構成された少なくとも１つのプロセッサと
を備え、前記１つまたは複数のグラフィカル要素は、前記少なくとも１つのプロセッサを使用して、１つまたは複数のサーバ上に記憶された１つまたは複数のソフトウェアアプリケーションを実装するように構成され、
前記１つまたは複数のソフトウェアアプリケーションは、
少なくとも１つのプロセッサを備えるハードウェアデバイス上で実行しているまたは前記ハードウェアデバイスに記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を行うように構成されている、コンピューティングシステム。
【請求項２】
前記ＨＭＩアプリケーションは、１つまたは複数の海洋掘削リグに適用可能な１つまたは複数の標準動作プロシージャを実装するように構成されている、請求項１に記載のコンピューティングシステム。
【請求項３】
前記ＨＭＩアプリケーションは、
前記ハードウェアデバイスにおいて、前記１つまたは複数の標準動作プロシージャへの１つまたは複数の修正を表すデータを受信することと、
前記１つまたは複数の修正を前記１つまたは複数の標準動作プロシージャに適用することにより、１つまたは複数の修正された標準動作プロシージャを作成することと、
前記１つまたは複数の修正された標準動作プロシージャを前記１つまたは複数の海洋掘削リグに適用することと
を行うようにさらに構成されている、請求項２に記載のコンピューティングシステム。
【請求項４】
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、請求項１に記載のコンピューティングシステム。
【請求項５】
前記１つまたは複数のソフトウェアアプリケーションは、前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
を行うようにさらに構成されている、請求項４に記載のコンピューティングシステム。
【請求項６】
前記１つまたは複数のソフトウェアアプリケーションは、
前記システム制御サブゾーン内の１つまたは複数の視覚ステータス表示の表示を可能にすることと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
を行うようにさらに構成されている、請求項５に記載のコンピューティングシステム。
【請求項７】
前記１つまたは複数のソフトウェアアプリケーションは、
前記レイアウト図内の流路の表示を可能にすることと、
前記流路のための１つまたは複数の色の表示を可能にすることであって、前記１つまたは複数の強調された色は、前記流路の１つまたは複数の予測流路状態に対応し、前記１つまたは複数の予測流路状態は、
予測流体流動状態、
予測流体非流動状態、および／または
予測流体圧力蓄積状態
を含む、ことと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
を行うようにさらに構成されている、請求項５に記載のコンピューティングシステム。
【請求項８】
前記１つまたは複数のソフトウェアアプリケーションは、
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを１つまたは複数の物理的リグコンポーネント上で実施することと
を行うようにさらに構成されている、請求項５に記載のコンピューティングシステム。
【請求項９】
前記１つまたは複数のソフトウェアアプリケーションは、前記選択可能なコンポーネント、制御オプション、または破壊機能確認オプションのうちの１つのユーザ選択の受信後に、可聴フィードバック機能を果たすようにさらに構成され、前記可聴フィードバック機能は、前記ユーザ選択に対応する機能が開始される前に、前記ユーザ選択の可聴確認を提供することを含む、請求項５に記載のコンピューティングシステム。
【請求項１０】
前記１つまたは複数の破壊機能は、
パイプ切断アクション、および
ＢＯＰ接続解除アクション
のうちの１つまたは複数のものを含む、請求項８に記載のコンピューティングシステム。
【請求項１１】
前記１つまたは複数のソフトウェアアプリケーションは、前記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、１つまたは複数の物理的リグコンポーネントを表す、ことと、
メタデータの表示を可能にすることであって、前記メタデータは、前記１つまたは複数の物理的リグコンポーネントを説明する、ことと
を行うようにさらに構成されている、請求項４に記載のコンピューティングシステム。
【請求項１２】
前記１つまたは複数のソフトウェアアプリケーションは、前記少なくとも１つのコンポーネント動作オプションのユーザ選択を受信した後に、
前記１つまたは複数のコンポーネントアイコンのユーザ選択を受信することと、
ユーザが、前記情報サブゾーンの中に位置するレイアウト図上に、前記選択された１つまたは複数のコンポーネントアイコンをドラッグすることを可能にすることであって、前記レイアウト図は、前記１つまたは複数の物理的リグコンポーネントの現在のスタック配列を表す、ことと、
前記レイアウト図上に前記選択された１つまたは複数のコンポーネントアイコンを受け取ることに応じて、前記レイアウト図を修正することと、
前記修正されたレイアウト図を構成する前記１つまたは複数のコンポーネントアイコンに合致する修正された現在のスタック配列になるよう前記１つまたは複数の物理的リグコンポーネントの移動動作を制御することと
を行うようにさらに構成されている、請求項１１に記載のコンピューティングシステム。
【請求項１３】
前記１つまたは複数のソフトウェアアプリケーションは、前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
を行うようにさらに構成されている、請求項４に記載のコンピューティングシステム。
【請求項１４】
前記１つまたは複数のソフトウェアアプリケーションは、前記イベント診断オプションのユーザ選択を受信した後に、
前記情報サブゾーン内のイベントタイムラインの表示を可能にすることであって、前記イベントタイムラインは、前記ＨＭＩアプリケーションによって記録された１つまたは複数のイベントに対応する１つまたは複数のイベントの線形表示を含み、前記１つまたは複数のイベントと１つまたは複数のユーザアクションとの間の因果関係を示す、ことと、
前記情報サブゾーン内のイベントログの表示を可能にすることであって、前記イベントログは、前記１つまたは複数の記録されたイベントのリストを含む、ことと
を行うようにさらに構成されている、請求項１３に記載のコンピューティングシステム。
【請求項１５】
前記１つまたは複数のソフトウェアアプリケーションは、
前記情報サブゾーン内のコンポーネントタイムラインの表示を可能にすることであって、前記コンポーネントタイムラインは、前記ＨＭＩアプリケーションによって記録された１つまたは複数のコンポーネントステータスイベントに対応する１つまたは複数のコンポーネントステータスの線形表示を含む、ことと、
前記情報サブゾーン内のコンポーネントログの表示を可能にすることであって、前記コンポーネントログは、前記１つまたは複数の記録されたコンポーネントステータスイベントのリストを含む、ことと
を行うようにさらに構成されている、請求項１３に記載のコンピューティングシステム。
【請求項１６】
前記１つまたは複数のソフトウェアアプリケーションは、
前記情報サブゾーン内の圧力および温度タイムラインの表示を可能にすることであって、前記圧力および温度タイムラインは、前記ＨＭＩアプリケーションによって記録された１つまたは複数の流体流動ステータスイベントに対応する１つまたは複数の圧力および温度ステータスの線形表示を含む、ことと、
前記情報サブゾーン内の圧力および温度ログの表示を可能にすることであって、前記圧力および温度ログは、前記１つまたは複数の記録された流体流動ステータスイベントのリストを含む、ことと
を行うようにさらに構成されている、請求項１３に記載のコンピューティングシステム。
【請求項１７】
前記１つまたは複数のソフトウェアアプリケーションは、前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
を行うようにさらに構成されている、請求項４に記載のコンピューティングシステム。
【請求項１８】
前記１つまたは複数のソフトウェアアプリケーションは、前記１つまたは複数の選択可能な試験オプションのうちの１つまたは複数のもののユーザ選択を受信した後に、
前記選択された１つまたは複数の選択可能な試験オプションに対応する１つまたは複数の試験を実施することと、
選択されていない１つまたは複数の選択可能な試験オプションに対応する１つまたは複数の試験を実施することを遅延させることと
を行うようにさらに構成されている、請求項１７に記載のコンピューティングシステム。
【請求項１９】
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、請求項１に記載のコンピューティングシステム。
【請求項２０】
前記ＨＭＩアプリケーションは、
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
を行うようにさらに構成されている、請求項１に記載のコンピューティングシステム。
【請求項２１】
前記１つまたは複数のイベントは、コンポーネント故障およびアラームのうちの１つまたは複数のものを含む、請求項１４に記載のコンピューティングシステム。
【請求項２２】
前記ＧＵＩは、タッチスクリーンインターフェースを備え、前記タッチスクリーンインターフェースは、ユーザが、前記１つまたは複数の選択可能なナビゲーションオプションまたは前記１つまたは複数の選択可能なアクションオプションに対応するアイコンにタッチすることによって、前記１つまたは複数の選択可能なナビゲーションオプションのうちの１つおよび前記１つまたは複数の選択可能なアクションオプションのうちの１つを選択することを可能にするように構成されている、請求項１に記載のコンピューティングシステム。
【請求項２３】
前記１つまたは複数のソフトウェアアプリケーションは、前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、ことと
を行うようにさらに構成されている、請求項４に記載のコンピューティングシステム。
【請求項２４】
前記１つまたは複数のソフトウェアアプリケーションは、前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にするようにさらに構成され、前記１つまたは複数のノードのそれぞれは、１つまたは複数のリグコンポーネントの現在の診断状態を表すアイコンを備える、請求項２３に記載のコンピューティングシステム。
【請求項２５】
前記１つまたは複数のアイコンは、１つまたは複数の異常コンポーネント状態を示す第１のシンボルと、１つまたは複数のエラーのないコンポーネント状態を示す第２のシンボルとを含む、請求項２４に記載のコンピューティングシステム。
【請求項２６】
前記１つまたは複数のレベルは、１つまたは複数のリグコンポーネントに対応し、前記１つまたは複数のノードは、１つまたは複数のコンポーネント機能に対応する、請求項２４に記載のコンピューティングシステム。
【請求項２７】
前記１つまたは複数のリグコンポーネントは、
統合マニホールドアセンブリ、
レギュレータアセンブリ、
共通レール、ならびに／または、
剛性導管およびホットラインバルブパッケージ
を含む、請求項２６に記載のコンピューティングシステム。
【請求項２８】
前記１つまたは複数のソフトウェアアプリケーションは、
前記１つまたは複数のレベルからあるレベルのユーザ選択を受信することと、
前記選択されたレベルに対応する１つまたは複数の診断詳細の表示を可能にすることと、
１つまたは複数の機能の表示を可能にすることと
を行うようにさらに構成されており、前記１つまたは複数の機能のそれぞれは、前記選択されたレベルによって表される前記１つまたは複数のリグコンポーネントに対応する、請求項２６に記載のコンピューティングシステム。
【請求項２９】
ヒューマンマシンインターフェース（ＨＭＩ）アプリケーションを実装する方法であって、前記方法は、
少なくとも１つのプロセッサを備えるハードウェアデバイス上で実行しているまたは前記ハードウェアデバイス上に記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと、
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を含む、方法。
【請求項３０】
１つまたは複数の海洋掘削リグに適用可能な１つまたは複数の標準動作プロシージャを実装することをさらに含む、請求項２９に記載の方法。
【請求項３１】
前記ハードウェアデバイスにおいて、前記１つまたは複数の標準動作プロシージャへの１つまたは複数の修正を表すデータを受信することと、
前記１つまたは複数の修正を前記１つまたは複数の標準動作プロシージャに適用することにより、１つまたは複数の修正された標準動作プロシージャを作成することと、
前記１つまたは複数の修正された標準動作プロシージャを前記１つまたは複数の海洋掘削リグに適用することと
をさらに含む、請求項３０に記載の方法。
【請求項３２】
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、請求項２９に記載の方法。
【請求項３３】
前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
をさらに含む、請求項３２に記載の方法。
【請求項３４】
前記システム制御サブゾーン内の１つまたは複数の視覚ステータス表示の表示を可能にすることと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
をさらに含む、請求項２９に記載の方法。
【請求項３５】
前記レイアウト図内の流路の表示を可能にすることと、
前記流路のための１つまたは複数の色の表示を可能にすることであって、前記１つまたは複数の強調された色は、前記流路の１つまたは複数の予測流路状態に対応し、前記１つまたは複数の予測流路状態は、
予測流体流動状態、
予測流体非流動状態、および／または
予測流体圧力蓄積状態
を含む、ことと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
をさらに含む、請求項３３に記載の方法。
【請求項３６】
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを前記１つまたは複数の物理的リグコンポーネント上で実施することと
をさらに含む、請求項３３に記載の方法。
【請求項３７】
前記選択可能なコンポーネント、制御オプション、または破壊機能確認オプションのうちの１つのユーザ選択の受信後に、可聴フィードバック機能を果たすことをさらに含み、前記可聴フィードバック機能は、前記ユーザ選択に対応する機能が開始される前に、前記ユーザ選択の可聴確認を提供することを含む、請求項３３に記載の方法。
【請求項３８】
前記１つまたは複数の破壊機能は、
パイプ切断アクション、および
ＢＯＰ接続解除アクション
のうちの１つまたは複数のものを含む、請求項３６に記載の方法。
【請求項３９】
記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、前記１つまたは複数の物理的リグコンポーネントを表す、ことと、
メタデータの表示を可能にすることであって、前記メタデータは、前記１つまたは複数の物理的リグコンポーネントを説明する、ことと
をさらに含む、請求項３２に記載の方法。
【請求項４０】
前記少なくとも１つのコンポーネント動作オプションのユーザ選択を受信した後に、
前記１つまたは複数のコンポーネントアイコンのユーザ選択を受信することと、
ユーザが、前記情報サブゾーンの中に位置するレイアウト図上に、前記選択された１つまたは複数のコンポーネントアイコンをドラッグすることを可能にすることであって、前記レイアウト図は、前記１つまたは複数の物理的リグコンポーネントの現在のスタック配列を表す、ことと、
前記レイアウト図上に前記選択された１つまたは複数のコンポーネントアイコンを受け取ることに応じて、前記レイアウト図を修正することと、
前記修正されたレイアウト図を構成する前記１つまたは複数のコンポーネントアイコンに合致する修正された現在のスタック配列になるよう前記１つまたは複数の物理的リグコンポーネントの移動動作を制御することと
をさらに含む、請求項３９に記載の方法。
【請求項４１】
前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
をさらに含む、請求項３２に記載の方法。
【請求項４２】
前記イベント診断オプションのユーザ選択を受信した後に、
前記情報サブゾーン内のイベントタイムラインの表示を可能にすることであって、前記イベントタイムラインは、前記ＨＭＩアプリケーションによって記録された１つまたは複数のイベントに対応する１つまたは複数のイベントの線形表示を含み、前記１つまたは複数のイベントと１つまたは複数のユーザアクションとの間の因果関係を示す、ことと、
前記情報サブゾーン内のイベントログの表示を可能にすることであって、前記イベントログは、前記１つまたは複数の記録されたイベントのリストを含む、ことと
をさらに含む、請求項４１に記載の方法。
【請求項４３】
前記情報サブゾーン内のコンポーネントタイムラインの表示を可能にすることであって、前記コンポーネントタイムラインは、前記ＨＭＩアプリケーションによって記録された１つまたは複数のコンポーネントステータスイベントに対応する１つまたは複数のコンポーネントステータスの線形表示を含む、ことと、
前記情報サブゾーン内のコンポーネントログの表示を可能にすることであって、前記コンポーネントログは、前記１つまたは複数の記録されたコンポーネントステータスイベントのリストを含む、ことと
をさらに含む、請求項４１に記載の方法。
【請求項４４】
前記情報サブゾーン内の圧力および温度タイムラインの表示を可能にすることであって、前記圧力および温度タイムラインは、前記ＨＭＩアプリケーションによって記録された１つまたは複数の流体流動ステータスイベントに対応する１つまたは複数の圧力および温度ステータスの線形表示を含む、ことと、
前記情報サブゾーン内の圧力および温度ログの表示を可能にすることであって、前記圧力および温度ログは、前記１つまたは複数の記録された流体流動ステータスイベントのリストを含む、ことと
をさらに含む、請求項４１に記載の方法。
【請求項４５】
前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
をさらに含む、請求項３２に記載の方法。
【請求項４６】
前記１つまたは複数の選択可能な試験オプションのうちの１つまたは複数のもののユーザ選択を受信した後に、
前記選択された１つまたは複数の選択可能な試験オプションに対応する１つまたは複数の試験を実施することと、
選択されていない１つまたは複数の選択可能な試験オプションに対応する１つまたは複数の試験を実施することを遅延させることと
をさらに含む、請求項４５に記載の方法。
【請求項４７】
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、請求項２９に記載の方法。
【請求項４８】
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
をさらに含む、請求項２９に記載の方法。
【請求項４９】
前記１つまたは複数のイベントは、コンポーネント故障およびアラームのうちの１つまたは複数のものを含む、請求項４２に記載の方法。
【請求項５０】
前記ＧＵＩは、タッチスクリーンインターフェースを備え、前記タッチスクリーンインターフェースは、ユーザが、前記１つまたは複数の選択可能なナビゲーションオプションまたは前記１つまたは複数の選択可能なアクションオプションに対応するアイコンにタッチすることによって、前記１つまたは複数の選択可能なナビゲーションオプションのうちの１つおよび前記１つまたは複数の選択可能なアクションオプションのうちの１つを選択することを可能にするように構成されている、請求項２９に記載の方法。
【請求項５１】
前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、こと
をさらに含む、請求項３２に記載の方法。
【請求項５２】
前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にすることをさらに含み、前記１つまたは複数のノードのそれぞれは、１つまたは複数のリグコンポーネントの現在の診断状態を表すアイコンを備える、請求項５１に記載の方法。
【請求項５３】
前記１つまたは複数のアイコンは、１つまたは複数の異常コンポーネント状態を示す第１のシンボルと、１つまたは複数のエラーのないコンポーネント状態を示す第２のシンボルとを含む、請求項５２に記載の方法。
【請求項５４】
前記１つまたは複数のレベルは、１つまたは複数のリグコンポーネントに対応し、前記１つまたは複数のノードは、１つまたは複数のコンポーネント機能に対応する、請求項５２に記載の方法。
【請求項５５】
前記１つまたは複数のリグコンポーネントは、
統合マニホールドアセンブリ、
レギュレータアセンブリ、
共通レール、ならびに／または、
剛性導管およびホットラインバルブパッケージ
を含む、請求項５４に記載の方法。
【請求項５６】
前記１つまたは複数のレベルからあるレベルのユーザ選択を受信することと、
前記選択されたレベルに対応する１つまたは複数の診断詳細の表示を可能にすることと、
１つまたは複数の機能の表示を可能にすることであって、前記１つまたは複数の機能のそれぞれは、前記選択されたレベルによって表される前記１つまたは複数のリグコンポーネントに対応する、ことと
をさらに含む、請求項５４に記載の方法。
【請求項５７】
ヒューマンマシンインターフェース（ＨＭＩ）アプリケーションを実装するための装置であって、前記装置は、
少なくとも１つのプロセッサ
を備え、前記少なくとも１つのプロセッサは、
少なくとも１つのプロセッサを備えるハードウェアデバイス上で実行しているまたは前記ハードウェアデバイス上に記憶されたユーザインターフェース上でユーザ入力を受信することによって、前記ＨＭＩアプリケーションのセッションを開始することと、
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを１つまたは複数の物理的海洋リグコンポーネント上で実施することと
を行うように構成されている、装置。
【発明の詳細な説明】
【技術分野】
【０００１】
（関連出願への相互参照）
本願は、２０１６年３月４日に出願された米国仮特許出願第６２／３０３，９６８号および２０１６年６月１日に出願された米国仮特許出願第６２／３４４，１０５号に対する優先権を主張し、そのそれぞれは、その全体が参照によって本明細書に援用される。
【０００２】
（背景）
（１．発明の背景）
本開示は、概して、高信頼性噴出防止（ＢＯＰ）リグを制御するヒューマンマシンインターフェース（ＨＭＩ）を提供するために使用されることができる、方法、装置、およびシステムに関する。
【背景技術】
【０００３】
（２．関連技術の説明）
ＢＯＰリグのためのＨＭＩインターフェースの動作中のオペレータエラーは、システムダウンタイムに有意に寄与し、安全性リスクを潜在的に増加させ得る。これは、明白なオペレータエラー、例えば、オペレータが間違ったコンポーネントを動作させることに起因して、またはより把握しがたいものとして、オペレータが根本原因に対処する代わりにいくつかのより小さい問題を診断することを迫られているときに、起こり得る。
【０００４】
耐故障性および冗長システムは、多くの場合、少なくとも部分的に全ての機能を果たす複数の方法が存在し得るため、オペレータが理解して診断することが困難である。オペレータエラーと関連付けられるダウンタイムリスクを最小限にすることへの最も重要な側面のうちの１つは、ＢＯＰリグのためのマスタ制御ソフトウェアの精緻化である。マスタ制御システムは、専門のオペレータが、そのような自動フェイルオーバーを選択的に有効または無効にし、問題を診断すること、もしくは異常な状況で動作することを補助することを可能にするように柔軟でなければならない。本複雑性は、無償では生じない。本故障管理アプローチは、複雑なソフトウェアを要求し、検証および試験の努力を増加させる。
【０００５】
そのようなダウンタイムを最小限にするために、ＨＭＩおよび制御システムは、ある誘導原理を念頭に置いて設計されている。これらの原理の包括的目標は、全ての設計決定が、安全に動作させ、良好な決定を行い、ダウンタイムを最小限にするオペレータの能力を支援することを確実にすることである。
【発明の概要】
【課題を解決するための手段】
【０００６】
（概要）
本開示は、ヒューマンマシンインターフェース（ＨＭＩ）アプリケーションを実装するためのコンピューティングシステムの実施形態を含む。いくつかの実施形態では、コンピューティングシステムは、メモリデバイスと、グラフィカルユーザインターフェース（ＧＵＩ）の表示を可能にするように構成される、少なくとも１つのプロセッサとを含んでもよい。ＧＵＩは、少なくとも１つのプロセッサを使用して、１つまたは複数のサーバ上に記憶された１つまたは複数のソフトウェアアプリケーションを実装するように構成される、１つまたは複数のグラフィカル要素を含んでもよい。いくつかの実施形態では、１つまたは複数のソフトウェアアプリケーションは、少なくとも１つのプロセッサを備えるハードウェアデバイス上で実行している、またはハードウェアデバイス上に記憶される、ユーザインターフェース上でユーザ入力を受信することによって、ＨＭＩアプリケーションのセッションを開始するように構成されてもよい。いくつかの実施形態では、１つまたは複数のソフトウェアアプリケーションは、アクションゾーンと、１つまたは複数の選択可能なナビゲーションオプションを備える高レベルナビゲーションゾーンおよびシステムヘッダゾーンのうちの１つまたは複数のものとを含み得る、複数の非重複ゾーンの表示を可能にしてもよい。１つまたは複数のソフトウェアアプリケーションは、複数の非重複サブゾーンを含む、アクションゾーン内の複数の選択可能なアクションオプションの表示を可能にしてもよい。いくつかの実施形態では、サブゾーンは、インターフェース制御サブゾーンと、情報サブゾーンと、システム制御サブゾーンとを含んでもよい。１つまたは複数のソフトウェアアプリケーションは、事前指定されたサブゾーン内に表示され得る、１つまたは複数の選択可能なアクションオプションの表示を可能にしてもよく、複数の選択可能なアクションオプションは、１つまたは複数の選択可能なナビゲーションオプションの選択に基づいて修正されてもよく、選択は、ユーザ選択およびデフォルト選択のうちの１つまたは複数のものであってもよい。いくつかの実施形態では、１つまたは複数のソフトウェアアプリケーションは、ハードウェアデバイスにおいて、１つまたは複数の選択可能なアクションオプションのうちの１つのユーザ選択を表すデータを受信してもよく、ユーザ選択に基づいて、１つまたは複数の物理的海洋掘削リグコンポーネントの動作状態を制御してもよい。
【０００７】
いくつかの実施形態では、ＨＭＩアプリケーションは、１つまたは複数の海洋掘削リグに適用可能な１つまたは複数の標準動作プロシージャを実装するように構成されてもよい。ＨＭＩアプリケーションはさらに、ハードウェアデバイスにおいて、１つまたは複数の標準動作プロシージャへの１つまたは複数の修正を表すデータを受信し、１つまたは複数の修正を１つまたは複数の標準動作プロシージャに適用して、１つまたは複数の修正された標準動作プロシージャを作成し、１つまたは複数の修正された標準動作プロシージャを１つまたは複数の海洋掘削リグに適用するように構成されてもよい。いくつかの実施形態では、１つまたは複数の選択可能なナビゲーションオプションは、噴出防止装置（ＢＯＰ）スタック制御オプション、診断オプション、試験オプション、設定オプション、アラームオプション、ダイバータオプション、表面系オプション、電子ライザ角度オプション、および緊急接続解除オプションのうちの１つまたは複数のものを含んでもよい。
【０００８】
いくつかの実施形態では、１つまたは複数のソフトウェアアプリケーションはさらに、ＢＯＰスタック制御オプションのユーザ選択を受信した後に、情報サブゾーン内の１つまたは複数の選択可能なコンポーネントを含み得、１つまたは複数の物理的海洋掘削リグコンポーネントの現在のスタック配列を表し得る、レイアウト図の表示を可能にするように構成されてもよい。１つまたは複数のソフトウェアアプリケーションはさらに、１つまたは複数の制御プロシージャと、１つまたは複数の破壊機能制御モードとを含み得る、インターフェース制御サブゾーン内の１つまたは複数の制御オプションの表示を可能にするように構成されてもよい。
【０００９】
いくつかの実施形態では、１つまたは複数のソフトウェアアプリケーションはさらに、システム制御サブゾーン内の１つまたは複数の視覚ステータス表示の表示を可能にし、選択可能なコンポーネントもしくは制御オプションのうちの１つのユーザ選択を受信した後に、システム制御サブゾーン内の１つまたは複数の機能制御オプションの表示を可能にするように構成されてもよい。１つまたは複数の機能制御オプションは、選択可能なコンポーネントもしくは制御オプションのうちの１つのユーザ選択に対応し得る。
【００１０】
いくつかの実施形態では、１つまたは複数のソフトウェアアプリケーションはさらに、レイアウト図内の流路の表示を可能にし、流路のための１つまたは複数の色の表示を可能にするように構成されてもよい。１つまたは複数の強調された色は、予測流体流動状態および予測流体非流動状態等の流路の１つまたは複数の予測流路状態に対応し得る。選択可能なコンポーネントもしくは制御オプションのうちの１つのユーザ選択を受信した後に、１つまたは複数のソフトウェアアプリケーションは、選択可能なコンポーネントもしくは制御オプションのうちの１つのユーザ選択に対応する、システム制御サブゾーン内の１つまたは複数の機能制御オプションの表示を可能にしてもよい。
【００１１】
いくつかの実施形態では、１つまたは複数のソフトウェアアプリケーションはさらに、１つまたは複数の破壊機能制御モードをアクティブ化する、ユーザ入力を受信し、１つまたは複数の破壊機能のユーザ選択を受信し、破壊機能確認オプションの表示を可能にし、破壊機能確認オプションのユーザ選択の受信に応じて、選択された１つまたは複数の破壊機能に対応する１つまたは複数のアクションを１つまたは複数の物理的リグコンポーネント上で実施するように構成されてもよい。いくつかの実施形態では、１つまたは複数の破壊機能は、パイプ切断アクションおよびＢＯＰ接続解除アクションのうちの１つまたは複数のものを含んでもよい。
【００１２】
いくつかの実施形態では、１つまたは複数のソフトウェアアプリケーションはさらに、設定オプションのユーザ選択を受信した後に、１つまたは複数の物理的リグコンポーネントを表し得る、インターフェース制御サブゾーンの中に位置する１つまたは複数のコンポーネントアイコンを含み得る、ドラッグ・アンド・ドロップインターフェースの表示を可能にするように構成されてもよい。１つまたは複数のソフトウェアアプリケーションは、１つまたは複数の物理的リグコンポーネントを説明するメタデータの表示を可能にしてもよい。
【００１３】
いくつかの実施形態では、１つまたは複数のソフトウェアアプリケーションはさらに、少なくとも１つのコンポーネント動作オプションのユーザ選択を受信した後に、１つまたは複数のコンポーネントアイコンのユーザ選択を受信するように構成されてもよい。１つまたは複数のソフトウェアアプリケーションは、ユーザが、１つまたは複数の物理的リグコンポーネントの現在のスタック配列を表し得る、情報サブゾーンの中に位置するレイアウト図上に、選択された１つまたは複数のコンポーネントアイコンをドラッグすることを可能にしてもよい。レイアウト図上に選択された１つまたは複数のコンポーネントアイコンを受け取ることに応じて、１つまたは複数のソフトウェアアプリケーションは、レイアウト図を修正し、修正されたレイアウト図を構成する１つまたは複数のコンポーネントアイコンに合致する修正された現在のスタック配列になるよう１つまたは複数の物理的リグコンポーネントの移動動作を制御してもよい。
【００１４】
いくつかの実施形態では、１つまたは複数のソフトウェアアプリケーションはさらに、診断オプションのユーザ選択を受信した後に、インターフェース制御サブゾーン内の１つまたは複数のシステム診断オプションの表示を可能にするように構成されてもよい。１つまたは複数のシステム診断オプションは、コンポーネント診断オプション、機能診断オプション、およびイベント診断オプションのうちの１つまたは複数のものを含んでもよい。１つまたは複数のソフトウェアアプリケーションは、１つまたは複数のシステム診断オプションのうちの１つのユーザ選択に対応する、システム制御サブゾーン内の１つまたは複数の制御オプションの表示を可能にしてもよい。
【００１５】
いくつかの実施形態では、１つまたは複数のソフトウェアアプリケーションはさらに、イベント診断オプションのユーザ選択を受信した後に、ＨＭＩアプリケーションによって記録される１つまたは複数のイベントに対応する、１つまたは複数のイベントの線形表示を含み、１つまたは複数のイベントと１つまたは複数のユーザアクションとの間の因果関係を示す、情報サブゾーン内のイベントタイムラインの表示を可能にするように構成されてもよい。１つまたは複数のソフトウェアアプリケーションは、１つまたは複数の記録されたイベントのリストを含む、情報サブゾーン内のイベントログの表示を可能にしてもよい。いくつかの実施形態では、１つまたは複数のソフトウェアアプリケーションはさらに、ＨＭＩアプリケーションによって記録される１つまたは複数のコンポーネントステータスイベントに対応する、１つまたは複数のコンポーネントステータスの線形表示を含む、情報サブゾーン内のコンポーネントタイムラインの表示を可能にするように構成されてもよい。１つまたは複数のソフトウェアアプリケーションは、１つまたは複数の記録されたコンポーネントステータスイベントのリストを含む、情報サブゾーン内のコンポーネントログの表示を可能にしてもよい。いくつかの実施形態では、１つまたは複数のソフトウェアアプリケーションはさらに、ＨＭＩアプリケーションによって記録される１つまたは複数の流体流動ステータスイベントに対応する、１つまたは複数の圧力および温度ステータスの線形表示を含む、情報サブゾーン内の圧力および温度タイムラインの表示を可能にするように構成されてもよい。１つまたは複数のソフトウェアアプリケーションは、１つまたは複数の記録された流体流動ステータスイベントのリストを含む、情報サブゾーン内の圧力および温度ログの表示を可能にしてもよい。
【００１６】
いくつかの実施形態では、１つまたは複数のソフトウェアアプリケーションはさらに、試験オプションのユーザ選択を受信した後に、インターフェース制御サブゾーン内の１つまたは複数のシステム試験タイプオプションの表示を可能にするように構成されてもよい。１つまたは複数のシステム試験タイプオプションは、機能試験オプションおよび圧力試験オプションのうちの１つまたは複数のものを含んでもよい。１つまたは複数のソフトウェアアプリケーションは、試験ステータス情報および試験履歴情報のうちの１つまたは複数のものを含む、情報サブゾーン内の１つまたは複数の試験情報フィールドの表示を可能にし、１つまたは複数のシステム試験タイプオプションのうちの１つのユーザ選択を受信した後に、１つまたは複数の選択可能な試験オプションの表示を可能にしてもよい。いくつかの実施形態では、１つまたは複数のソフトウェアアプリケーションはさらに、１つまたは複数の選択可能な試験オプションのうちの１つまたは複数のもののユーザ選択を受信した後に、選択された１つまたは複数の選択可能な試験オプションに対応する、１つまたは複数の試験を実施し、選択されていない１つまたは複数の選択可能な試験オプションに対応する、１つまたは複数の試験を実施することを遅延させるように構成されてもよい。
【００１７】
いくつかの実施形態では、ＧＵＩは、ＧＵＩの中心部分の中にアクションゾーンを表示してもよい。ＧＵＩは、アクションゾーンの右側部分の上、アクションゾーンの中心部分の中、またはアクションゾーンの左側部分の上にインターフェース制御サブゾーンを表示してもよく、単一のアクティブインターフェースウィンドウを含んでもよい。いくつかの実施形態では、ＨＭＩアプリケーションはさらに、赤色と、緑色とを備える、カラーパレットの表示を可能にし、赤色を表示して、１つまたは複数の異常コンポーネント状態を示し、緑色を表示して、エラーのない動作ステータス、および、全てのリグコンポーネントが特定のリグ動作のために正しく構成された物理的リグ構成のうちの１つまたは複数のものを示すように構成されてもよい。１つまたは複数のイベントは、コンポーネント故障およびアラームのうちの１つまたは複数のものを含んでもよい。いくつかの実施形態では、ＧＵＩは、ユーザが、１つまたは複数の選択可能なナビゲーションオプションもしくは１つまたは複数の選択可能なアクションオプションに対応するアイコンにタッチすることによって、１つまたは複数の選択可能なナビゲーションオプションのうちの１つおよび１つまたは複数の選択可能なアクションオプションのうちの１つを選択することを可能にするように構成される、タッチスクリーンインターフェースを含んでもよい。
【００１８】
いくつかの実施形態では、１つまたは複数のソフトウェアアプリケーションはさらに、診断オプションのユーザ選択を受信した後に、規制準拠オプション、動作ステータスオプション、およびイベントログオプションのうちの１つまたは複数のものを含む、１つまたは複数のシステム診断オプションの表示を可能にするように構成されてもよい。いくつかの実施形態では、１つまたは複数のソフトウェアアプリケーションはさらに、規制準拠オプションのユーザ選択を受信した後に、１つまたは複数のレベルと、１つまたは複数のノードと、１つまたは複数のノードを接続する１つまたは複数の経路とを有する、診断決定パスツリーの表示を可能にするように構成されてもよく、１つまたは複数のノードはそれぞれ、１つまたは複数のリグコンポーネントの現在の診断状態を表すアイコンを有する。１つまたは複数のアイコンは、１つまたは複数の異常コンポーネント状態を示す第１のシンボルと、１つまたは複数のエラーのないコンポーネント状態を示す第２のシンボルとを示してもよい。１つまたは複数のレベルは、１つまたは複数のリグコンポーネントに対応し得、１つまたは複数のノードは、１つまたは複数のコンポーネント機能に対応し得る。
【００１９】
いくつかの実施形態では、１つまたは複数のリグコンポーネントは、統合マニホールドアセンブリ、レギュレータアセンブリ、共通レール、および剛性導管ならびにホットラインバルブパッケージのうちの１つまたは複数のものを備えてもよい。いくつかの実施形態では、１つまたは複数のソフトウェアアプリケーションはさらに、１つまたは複数のレベルからあるレベルのユーザ選択を受信し、選択されたレベルに対応する１つまたは複数の診断詳細の表示を可能にし、１つまたは複数の機能の表示を可能にするように構成されてもよく、１つまたは複数の機能はそれぞれ、選択されたレベルによって表される１つまたは複数のリグコンポーネントに対応する。
【００２０】
いくつかの実施形態では、ヒューマンマシンインターフェース（ＨＭＩ）アプリケーションを実装する方法は、少なくとも１つのプロセッサを備えるハードウェアデバイス上で実行している、またはハードウェアデバイス上に記憶される、ユーザインターフェース上でユーザ入力を受信することによって、ＨＭＩアプリケーションのセッションを開始するステップを含んでもよい。本方法はさらに、アクションゾーンと、１つまたは複数の選択可能なナビゲーションオプションを備える高レベルナビゲーションゾーンおよびシステムヘッダゾーンのうちの１つまたは複数のものとを備える、複数の非重複ゾーンの表示を可能にするステップを含んでもよい。本方法はさらに、アクションゾーン内の複数の選択可能なアクションオプションの表示を可能にするステップを含んでもよい。アクションゾーンは、インターフェース制御サブゾーンと、情報サブゾーンと、システム制御サブゾーンとを有する、複数の非重複サブゾーンを含んでもよい。本方法はさらに、事前指定されたサブゾーン内の１つまたは複数の選択可能なアクションオプションの表示を可能にするステップを含んでもよく、複数の選択可能なアクションオプションは、１つまたは複数の選択可能なナビゲーションオプションの選択に基づいて修正されてもよく、選択は、ユーザ選択およびデフォルト選択のうちの１つまたは複数のものである。本方法はさらに、ハードウェアデバイスにおいて、１つまたは複数の選択可能なアクションオプションのうちの１つのユーザ選択を表すデータを受信するステップと、ユーザ選択に基づいて、１つまたは複数の物理的海洋掘削リグコンポーネントの動作状態を制御するステップとを含んでもよい。
【００２１】
いくつかの実施形態では、ヒューマンマシンインターフェース（ＨＭＩ）アプリケーションを実装するための装置は、少なくとも１つのプロセッサを備えるハードウェアデバイス上で実行している、またはハードウェアデバイス上に記憶される、ユーザインターフェース上でユーザ入力を受信することによって、ＨＭＩアプリケーションのセッションを開始するように構成される、少なくとも１つのプロセッサを含んでもよい。少なくとも１つのプロセッサはさらに、１つまたは複数の破壊機能制御モードをアクティブ化する、ユーザ入力を受信し、１つまたは複数の破壊機能のユーザ選択を受信し、破壊機能確認オプションの表示を可能にし、破壊機能確認オプションのユーザ選択の受信に応じて、選択された１つまたは複数の破壊機能に対応する１つまたは複数の物理的海洋リグコンポーネント上で１つまたは複数のアクションを実施するように構成されてもよい。
【００２２】
用語「ａ」および「ａｎ」は、本開示が別様に明示的に要求しない限り、１つまたは複数のものとして定義される。用語「実質的に」は、当業者によって理解されるように、規定されるものの必ずしも全体的にではなく、大部分として定義される（かつ、規定されるものを含む。例えば、実質的に９０度とは、９０度を含み、実質的に平行とは、平行を含む）。任意の開示される実施形態では、用語「実質的に」、「およそ」、および「約」は、規定されるものの「ある［パーセンテージ］以内」によって言い換えられ得、パーセンテージは、０．１、１、５、および１０パーセントを含む。
【００２３】
用語「ｃｏｍｐｒｉｓｅ（〜を備える）」（および、「ｃｏｍｐｒｉｓｅｓ」および「ｃｏｍｐｒｉｓｉｎｇ」等の任意の形態のｃｏｍｐｒｉｓｅ）、「ｈａｖｅ（〜を有する）」（および、「ｈａｓ」ならびに「ｈａｖｉｎｇ」等の任意の形態のｈａｖｅ）、「ｉｎｃｌｕｄｅ（〜を含む）」（および、「ｉｎｃｌｕｄｅｓ」ならびに「ｉｎｃｌｕｄｉｎｇ」等の任意の形態のｉｎｃｌｕｄｅ）、および「ｃｏｎｔａｉｎ（〜を含有する）」（および、「ｃｏｎｔａｉｎｓ」ならびに「ｃｏｎｔａｉｎｉｎｇ」等の任意の形態のｃｏｎｔａｉｎ）は、制限のない連結動詞である。結果として、１つまたは複数の要素もしくは特徴を「備える」、「有する」、「含む」、または「含有する」、システムもしくはシステムのコンポーネントは、それらの１つまたは複数の要素もしくは特徴を保有するが、それらの１つまたは複数の要素もしくは特徴のみを保有することに限定されない。同様に、１つまたは複数のステップを「備える」、「有する」、「含む」、もしくは「含有する」方法は、それらの１つまたは複数のステップを保有するが、それらの１つまたは複数のステップのみを保有することに限定されない。加えて、「第１の」および「第２の」等の用語は、異なる構造または特徴を特定の順序に限定するためではなく、構造または特徴を区別するためのみに使用される。
【００２４】
開示される方法、システム、システムコンポーネント、または方法ステップのいずれかの任意の実施形態は、説明される要素、ステップ、および／または特徴のうちのいずれかを備える／含む／含有する／有するのではなく、それらから成る、もしくは本質的に成ることができる。したがって、請求項のいずれかにおいて、用語「ｃｏｎｓｉｓｔｉｎｇ  ｏｆ（〜から成る）」または「ｃｏｎｓｉｓｔｉｎｇ  ｅｓｓｅｎｔｉａｌｌｙ  ｏｆ（〜から本質的に成る）」は、そうでなければ制限のない連結動詞を使用していたであろうものから所与の請求項の範囲を変更するために、上記に記載される制限のない連結動詞のうちのいずれかによって言い換えられることができる。
【００２５】
一実施形態の１つまたは複数の特徴は、本開示または実施形態の性質によって明示的に禁止されない限り、たとえ説明もしくは図示されていなくても、他の実施形態に適用されてもよい。
【００２６】
前述は、以下に続く発明を実施するための形態がさらに理解され得るために、本発明の実施形態のある特徴および技術的利点をかなり広義に概説している。付加的特徴および利点が、以下で説明されるであろう。開示される概念および具体的実施形態は、同一または類似目的を実施するための他の構造を修正もしくは設計するための基礎として容易に利用され得ることが、当業者によって理解されるはずである。また、そのような同等の構造は、添付の請求項に記載されるような本発明の精神および範囲から逸脱しないことも、当業者によって認識されるはずである。付加的特徴が、付随する図面に関連して考慮されたときに、以下の説明からさらに理解されるであろう。しかしながら、図はそれぞれ、例証および説明の目的のためのみに提供され、本発明を限定することを意図しないことを明確に理解されたい。
【図面の簡単な説明】
【００２７】
以下の図面は、限定ではなく、一例として例証するものである。簡潔性および明確性のために、所与の方法またはシステムの全ての特徴は、常時、その方法またはシステムに関連する全ての図において標識されるわけではない。同じ参照番号は、必ずしも、同じ特徴を示すわけではない。むしろ、同一参照番号は、同じではない参照番号であり得るものと類似特徴または類似機能性を伴う特徴を示すために使用されてもよい。
【００２８】
【図１】図１は、本開示のある実施形態による、例示的ＨＭＩ方法を図示する。
【００２９】
【図２】図２は、ＨＭＩシステムのある実施形態による、異なるタイプの情報および制御を表示するための１つまたは複数の明確に画定されたゾーンもしくは画面部分を有する、例示的ユーザインターフェースアーキテクチャの実施形態を示す。
【００３０】
【図３Ａ】図３Ａは、ＨＭＩシステムのある実施形態による、噴出防止装置（ＢＯＰ）スタックオプションに適用されるような図２に示される画面アーキテクチャの３つのゾーンを示す、例示的ＧＵＩ表示の実施形態を示す。
【００３１】
【図３Ｂ】図３Ｂは、ＨＭＩシステムのある実施形態による、コンポーネントオプションが選択されるときの例示的ＧＵＩ表示の実施形態を示す。
【００３２】
【図４Ａ】図４Ａ−４Ｂは、ＨＭＩシステムのある実施形態による、プロセス制御オプションが選択されるときの例示的ＧＵＩ表示の実施形態を示す。
【図４Ｂ】図４Ａ−４Ｂは、ＨＭＩシステムのある実施形態による、プロセス制御オプションが選択されるときの例示的ＧＵＩ表示の実施形態を示す。
【００３３】
【図５】図５は、ＨＭＩシステムのある実施形態による、ユーザが表面系オプションを選択するときの例示的ＧＵＩ表示の実施形態を示す。
【００３４】
【図６】図６は、ＨＭＩシステムのある実施形態による、ユーザが電子ライザ角度オプションを選択するときの例示的ＧＵＩ表示の実施形態を示す。
【００３５】
【図７】図７は、ＨＭＩシステムのある実施形態による、ユーザがダイバータオプションを選択するときの例示的ＧＵＩ表示の実施形態を示す。
【００３６】
【図８Ａ】図８Ａは、ユーザが診断オプションを選択するときの例示的ＧＵＩ表示の実施形態を示す。
【００３７】
【図８Ｂ】図８Ｂは、ＨＭＩシステムのある実施形態による、ユーザが診断オプション内でＢＯＰコンポーネントオプションを選択するときの例示的ＧＵＩ表示の実施形態を示す。
【００３８】
【図８Ｃ】図８Ｃは、ＨＭＩシステムのある実施形態による、ユーザが診断オプション内でＢＯＰ機能オプションを選択するときの例示的ＧＵＩ表示の実施形態を示す。
【００３９】
【図８Ｄ】図８Ｄは、ＨＭＩシステムのある実施形態による、ユーザが規制準拠オプションを選択するときの例示的ＧＵＩ表示の実施形態を示す。
【００４０】
【図９】図９は、ＨＭＩシステムのある実施形態による、診断イベントログの例示的ＧＵＩ表示の実施形態を示す。
【００４１】
【図１０】図１０は、ＨＭＩシステムのある実施形態による、圧力／温度ログの例示的ＧＵＩ表示の実施形態を示す。
【００４２】
【図１１】図１１は、ＨＭＩシステムのある実施形態による、ＢＯＰコンポーネントログの例示的ＧＵＩ表示の実施形態を示す。
【００４３】
【図１２】図１２は、ＨＭＩシステムのある実施形態による、ユーザが試験オプションを選択するときの例示的ＧＵＩ表示の実施形態を示す。
【００４４】
【図１３】図１３は、ＨＭＩシステムのある実施形態による、ユーザがシステム設定オプションを選択するときの例示的ＧＵＩ表示の実施形態を示す。
【００４５】
【図１４】図１４は、ＨＭＩシステムのある実施形態による、ユーザがアラームオプションを選択するときの例示的ＧＵＩ表示の実施形態を示す。
【００４６】
【図１５】図１５は、ＨＭＩシステムのある実施形態による、ユーザが緊急接続解除シーケンス（ＥＤＳ）オプションを選択するときの例示的ＧＵＩ表示の実施形態を示す。
【００４７】
【図１６】図１６は、ＨＭＩシステムのある実施形態による、例示的クライアント・サーバインターフェースの実施形態を示す。
【発明を実施するための形態】
【００４８】
（例示的実施形態の詳細な説明）
ここで図面を参照すると、図１は、本開示のある実施形態による、例示的ＨＭＩ方法１００を図示する。示される実施形態では、方法１００は、ＨＭＩセッションを開始するユーザ入力を受信することによって、ステップ１１０において始まってもよい。いくつかの実施形態では、本システムは、ユーザがハードウェアデバイスにアクセスするときにＨＭＩセッションを開始してもよい。いくつかの実施形態では、ハードウェアデバイスは、ネットワークに接続されてもよい。ハードウェアデバイスは、石油掘削リグ敷地に位置するコンピュータ端末、または石油掘削リグ敷地から遠隔に位置するコンピュータ端末であってもよい。いくつかの実施形態では、石油掘削リグ敷地は、海洋敷地であってもよく、石油掘削リグは、海洋掘削のために構成される、１つまたは複数の物理的掘削コンポーネントを有してもよい。いくつかの実施形態では、海洋掘削石油掘削リグは、ＢＯＰコンポーネントを有してもよい。ハードウェアデバイスはまた、モバイルデバイスであってもよい。ハードウェアデバイスは、ＨＭＩ機能性を果たす、１つまたは複数のソフトウェアアプリケーションにアクセスするように構成されてもよい。本システムは、ユーザがハードウェアデバイスを備えるユーザインターフェースにアクセスときに、ＨＭＩセッションを初期化してもよい。ユーザインターフェースは、広義に定義され、１つまたは複数のサーバデバイス上に記憶された１つまたは複数のアプリケーションにアクセスし得る、クライアントデバイスを備えてもよい。ユーザインターフェースはまた、クライアントデバイス上でローカルに記憶された１つまたは複数のアプリケーションにアクセスしてもよい。
【００４９】
図１に示される実施形態では、本システムは、ユーザへの複数の選択可能なオプションの表示を可能にすることによって、ステップ１２０において方法１００を継続してもよい。いくつかの実施形態では、表示は、ユーザが画面上で１つまたは複数の表示要素を視認し、それらと相互作用することを可能にする、グラフィカルユーザインターフェース（ＧＵＩ）を備える。いくつかの実施形態では、本システムは、表示機能性のために構成される１つまたは複数のプロセッサに、表示機能性を実装するアクションを実施させることによって、表示を可能にしてもよい。いくつかの実施形態では、１つまたは複数のプロセッサは、コードを実行してもよい、もしくは表示機能性を実装する１つまたは複数のソフトウェアアプリケーションを開始してもよい。いくつかの実施形態では、１つまたは複数のプロセッサによって実施されるアクションは、モバイルデバイスおよび／またはコンピューティングデバイスを介して、複数の選択可能なオプションをユーザに表示させてもよい。いくつかの実施形態では、選択可能なオプションは、石油掘削リグを動作させることに関連する１つまたは複数のカテゴリを備えてもよい。他の選択可能なオプションは、ログ表示を備える、１つまたは複数の要素を備えてもよい。これらのオプションは、画面の所定の部分の中に位置する１つまたは複数の選択可能なアイコンとして表示され、ユーザが１つまたは複数の選択可能なオプションの間で容易にナビゲートすることを可能にしてもよい。アイコンは、ユーザに利用可能な異なる選択可能なオプションを表してもよい。示される実施形態では、本システムは、選択可能なオプションのうちの１つのユーザ選択を受信することによって、ステップ１３０において方法１００を継続してもよい。いくつかの実施形態では、ユーザは、ユーザがアクセスすることを所望するカテゴリに対応するアイコンを選択することによって、選択を行ってもよい。ユーザは、キーボード、マウス、タッチスクリーン、またはタッチパッドを介して、もしくは任意の他の好適な様式で、ＧＵＩ内に表示される要素を選択してもよい。
【００５０】
示される実施形態では、ステップ１４０におけるシステムは、複数の選択可能なオプションから行われるユーザ選択に基づいて、モバイルデバイスおよび／またはコンピューティングデバイスにおける１つまたは複数の選択可能なコンポーネントならびに／もしくはプロセスの表示を可能にしてもよい。いくつかの実施形態では、選択可能なコンポーネントは、選択可能なオプションアイコンと異なる画面の所定の部分の中に位置してもよい。選択可能なプロセスは、選択可能なオプションアイコンおよび選択可能なコンポーネントと異なる画面の所定の部分の中に位置してもよい。いくつかの実施形態では、選択可能なコンポーネントは、レイアウト図の中に配列されてもよく、石油掘削リグの１つまたは複数の物理的コンポーネント（例えば、ライザコネクタ、ロアーマリンライザパッケージ、噴出防止装置スタック、噴出防止装置、ラム、アニュラ、アキュムレータ、試験バルブ、フェイルセーフバルブ、キルおよび／またはチョークラインならびに／もしくはバルブ、および／または同等物）に対応し得る。選択可能なプロセスは、石油掘削リグの物理的コンポーネントを操作する、および／または石油掘削リグの物理的コンポーネントを使用してアクションを実施するための１つまたは複数のプロセスを備えてもよい。選択可能なコンポーネントは、石油掘削リグの特定の物理的コンポーネントを表すように定義されるシンボルを有する、選択可能なアイコンを備えてもよい。示される実施形態では、本システムは、選択可能なコンポーネントおよび／または選択可能なプロセスのユーザ選択を受信することによって、ステップ１５０において方法１００を継続してもよい。ユーザは、コンポーネントまたはプロセスを表すＧＵＩからアイコンを選択することによって、選択を行ってもよい。
【００５１】
示される実施形態では、ステップ１６０におけるシステムは、１つまたは複数の選択可能なアクションオプションの表示を可能にしてもよい。いくつかの実施形態では、コンポーネント選択のためのアクションオプションは、選択されたコンポーネントの物理的構成を変更し、選択されたコンポーネントをアクティブ化もしくは非アクティブ化し、選択されたコンポーネントの種々の設定を変更するための１つまたは複数のオプションを備えてもよい。プロセス選択のためのアクションオプションは、選択されたプロセスを実施するための１つまたは複数のステップを備えてもよい。いくつかの実施形態では、アクションオプションは、選択可能なオプションアイコン、選択可能なコンポーネント、および選択可能なプロセスと異なる画面の所定の部分の中に表示されてもよい。アクションオプションは、ＧＵＩ内に表示される他の要素を曖昧にしないような方法で表示されてもよい。示される実施形態では、本システムは、１つまたは複数のアクションオプションのユーザ選択を受信することによって、ステップ１７０において方法１００を継続してもよい。
【００５２】
示される実施形態では、ステップ１８０におけるシステムは、ユーザによって選択され、システムによって受信されるアクションオプションに対応する、特定のアクションまたはプロセスの実施を可能にしてもよい。いくつかの実施形態では、本システムは、石油掘削リグの物理的要素を制御し、適切な石油掘削リグ要素上で選択されたアクションを実施してもよい。示される実施形態では、本システムは、ユーザがＨＭＩセッション中に実施することを所望する全てのアクションを実施するために、必要に応じた回数でステップ１３０−１８０を繰り返してもよい。
【００５３】
図２−１５は、コンピューティングデバイス上に表示され得る、ＧＵＩの実施例を示す。ＧＵＩは、１つまたは複数のソフトウェアアプリケーションを実装し、方法１００（図１参照）の１つまたは複数の実施形態を実施するために、ユーザによって使用されてもよい。ＧＵＩは、Ｗｉｎｄｏｗｓ（登録商標）、Ａｎｄｒｏｉｄ、Ａｐｐｌｅ  ｉＯＳ、または内部専用オペレーティングシステム等の好適なオペレーティングプラットフォームを使用して実装されてもよい。
【００５４】
図２は、ＨＭＩ内で異なるタイプの情報および制御を表示するための１つまたは複数の明確に画定されたゾーンもしくは画面部分を有する、例示的ユーザインターフェースアーキテクチャ２００の実施形態を示す。１つまたは複数のメイン「概観」画面は、常にユーザによってアクセス可能であり得る。これは、ある従来技術システムによって示される不良なナビゲーションパターンを回避し得、ユーザのＨＭＩセッションの効率を向上させ得る。示される実施形態では、インターフェースアーキテクチャは、ナビゲーションゾーン２０２と、システムヘッダゾーン２０４と、キャンバスゾーン２０６とを備える。ナビゲーションゾーン２０２は、種々のユーザオプションに対応する、１つまたは複数の選択可能なアイコンを備えてもよい。これらのユーザオプションは、ステップ１２０で説明される選択可能なオプションに対応し得る。システムヘッダゾーン２０４は、システムの高レベルステータス、アラームのステータス、現在の画面のタイトル、ならびに日付および時間情報をユーザに提供してもよい。キャンバスゾーン２０６は、システム情報および制御をユーザに提供してもよい。キャンバスゾーン２０６は、ステップ１４０で説明される１つまたは複数の選択可能なコンポーネントおよび／もしくはプロセスを備えてもよい。いくつかの実施形態では、キャンバスゾーン２０６のあるサブ部分は、あるコンポーネントおよび／またはプロセスを表示するように割り当てられてもよい。
【００５５】
図３Ａは、噴出防止装置（ＢＯＰ）スタックオプションに適用されるような図２に示される画面アーキテクチャの３つのゾーンを示す、例示的ＧＵＩ表示３００の実施形態を示す。示される実施形態では、ナビゲーションゾーン２０２は、ユーザがシステムの１つのセクションから別のセクションに迅速に変更することを可能にするように常時存在し得る、システムナビゲーションアイコン３０２を備える。いくつかの実施形態では、システムナビゲーションアイコン３０２は、ステップ１２０で説明される選択可能なオプションに対応し得る。ユーザがユーザナビゲーションアイコン３０２のうちの１つを選択するとき、アイコンは、能動的に視認されている表示をユーザに知らせるように強調されてもよい。示される実施形態では、ナビゲーションゾーン２０２の左下角は、緊急接続解除シーケンス（ＥＤＳ）を開始し得るボタン３０４を備える。本シーケンスは、ある緊急時に石油掘削リグのある物理的要素を接続解除するオプションであってもよい。ＥＤＳボタン３０４は、システムの最もよく使用されている制御から離れるが、強制的な迅速アクセスのために一貫した常時存在場所に位置してもよい。
【００５６】
示される実施形態では、画面タイトル３０６は、ユーザが視認している画面を識別することに役立つように、システムヘッダゾーン２０４内に表示されてもよい。これはまた、ブレッドクラムトレイルを表示し、ユーザが自分の現在のシステムレベルを判定することを支援してもよい。示される実施形態では、システムヘッダゾーン２０４は、石油掘削リグの坑井が開放または閉鎖されているかどうか、システムが完全に機能的であるかどうか、フェイルセーフが開放または閉鎖されているかどうか、および任意のアクティブアラームがあるかどうかのインジケーションを含み得る、システムステータスセクション３０８を含有してもよい。システムステータスセクション３０８は、任意のユーザが一見しただけでＢＯＰ制御システムの高レベルステータスを得ることができるように、システムヘッダゾーン２０４内に表示されてもよい。いくつかの実施形態では、色、パターン、および大きいテキストは、ユーザがＢＯＰステータスの査定を容易に行うことに役立つことができ、これは、石油掘削リグの動作中に安全性を維持するために重要であり得る。いくつかの実施形態では、システムヘッダゾーン２０４は、ユーザが対処される必要があるイベントがあるかどうかを査定することができるように、任意の解除されていないアラームを一貫して表示する、アラームステータスセクション３１０を備えてもよい。時間および日付セクション３１２は、システムヘッダゾーン２０４内に一貫して表示されてもよい。
【００５７】
示される実施形態では、キャンバスゾーン２０６の左サイドバーは、プロシージャ制御およびアクセス制御が位置し得る場所である。示される実施形態では、プロセス制御アイコン３１４は、ステップ１４０で説明される選択可能なプロセスに対応し得る。いくつかの実施形態では、キャンバスゾーン２０６の左サイドバーは、処理容量情報３１６および破壊機能制御アイコン３１８を表示してもよい。容量情報３１６は、石油掘削リグの現在の処理容量をユーザに知らせてもよい。破壊機能制御アイコン３１８は、ある破壊機能制御モードをデフォルト「オフ」ステータスで保ち、ユーザが偶発的に破壊機能を果たさないように防止する、安全性特徴を備えてもよい。破壊機能は、パイプを切断する、ＢＯＰスタックの部品を接続解除する、または別様に偶発的に機能された場合に石油掘削リグの機能の大幅な遅延を引き起こし得る、機能であってもよい。破壊機能を果たすために、ユーザは、破壊機能を果たす前に、破壊機能制御アイコン３１８のうちの１つを選択することによって、破壊機能を意識的にアクティブ化しなければならない。キャンバスゾーン２０６の主要な中心ゾーンは、情報、すなわち、値、構成、ステータス、物理的コンポーネント等が表示され得る場所である。示される実施形態では、１つまたは複数のコンポーネントアイコン３２０のレイアウトは、ユーザが現在のリグ動作ステータスを視認することを可能にしてもよい。示される実施形態では、コンポーネントアイコン３２０は、ステップ１４０で説明される選択可能なコンポーネントに対応し得る。種々の色、シンボル、およびメタデータが、種々のリグコンポーネントの現在の状態をユーザに知らせるために使用されてもよい。キャンバスゾーン２０６の右サイドバーは、あるコンポーネントのためのシステムおよび／または視覚ステータス表示３２２の機能のための制御を備えてもよい。示される実施形態では、視覚ステータス表示は、あるコンポーネントの現在の圧力および温度をユーザに知らせてもよい。プロセス制御アイコン３１４またはコンポーネントアイコン３２０のユーザ選択に応じて、選択されたプロセスまたはコンポーネントについての詳細が、キャンバスゾーン２０６の右サイドバー内に表示される。いくつかの実施形態では、ユーザがコンポーネントまたはプロセスの実際の機能を引き起こすことができる、ＨＭＩの中の唯一の場所は、本右サイドバーの中にある。キャンバスゾーン２０６の事前に割り当てられたエリアの中で異なるタイプの機能を表示することによって、ユーザの精神的緊張が減少され得る。さらに、破壊機能が別のゾーンの中で選択可能である前に１つのゾーンの中でアクティブ化されることを要求することによって、破壊機能の偶発的アクティブ化が、著しく低減および／または排除され得る。
【００５８】
いくつかの実施形態では、ＢＯＰ制御システムのためのＨＭＩは、対応するシステムナビゲーションアイコン３０２のユーザ選択に応じてアクセスされ得る、ＢＯＰスタック画面を中心に展開する。これは、ユーザが多くの主要な動作タスクを開始および終了し得る、ユーザのためのホーム画面と見なされ得る。大部分の重要なＢＯＰタスクが本画面から完了されることを可能にするために、ＨＭＩは、いくつかの主要な相互作用原理を備えてもよい。いくつかの実施形態では、設計は、現在の動作条件をユーザに容易に知らせ得、状況認識の向上を可能にし得る、カラーパレットを利用してもよい。いくつかの実施形態では、一貫した予測可能な方法でコンポーネントを機能させることが、エラーを防止し（それによって、関連ダウンタイムを短縮し）、ユーザ効率を最大限にすることの手掛かりであり得る。いくつかの実施形態では、剪断機およびコネクタ等の重要な構造的石油掘削リグ要素は、デフォルトで無効にされる。ユーザは、偶発的動作を防止し得る、これらのコンポーネントの破壊機能をアクティブ化する意図的なステップを講じなければならない。ある事前設定プロシージャ（例えば、ダイバータを自動的に閉鎖する、または掘削のためにＢＯＰを並べる）は、ユーザ制御および監視を除去することなく、ユーザのための反復タスクを削減し得る。いくつかの実施形態では、ある機能は、安全性の考慮のための規制によって、両手動作を要求し得る。いくつかの実施形態では、従来の両手動作によって提供される安全性特徴は、他のより効率的な方法で実現され得る。
【００５９】
上記で議論されるように、いくつかの実施形態の設計は、状況認識の向上を可能にするカラーパレットを利用してもよい。いくつかの実施形態では、緑に着色された要素は、正常でエラーのない機能または掘削条件を表す、正常コンポーネント状態を示してもよく、赤に着色された要素は、問題、アラーム、およびエラーを表す、異常コンポーネント状態を示してもよい。色にこれら２つの基本的状態のみを表させることによって、本設計は、ユーザがシステムを利用する際に費やす認知的負荷または精神的努力の量を削減し得る。認知的負荷が低いとき、実施時間およびエラーが、減少し得る一方で、目標を正常に達成する確率は、増加され得る。このようにして、ユーザは、インターフェース内の必須要素を容易に解釈し、任意の状況を迅速に理解し、それに対応することが可能であり得る。例えば、システムステータスセクション３０８は、坑井が開放し、機能する準備ができているときには緑に着色されてもよいが、坑井が閉鎖されているときには赤に着色されてもよい。同様に、コンポーネント３２０は、そのコンポーネントが正常に機能しているときには緑に着色されてもよいが、コンポーネントが異常に機能している、またはアラーム状態であるときには赤に着色されてもよい。いくつかの実施形態では、緑色および赤色は、同時に表示され得ない。本システムが正常な状態で機能している場合、全ての要素は、緑に着色されるであろう。本システムの任意の要素が異常に機能している場合、異常に機能しているコンポーネントおよびシステムステータスセクション３０８は、赤に着色されてもよい。
【００６０】
図３Ｂは、コンポーネントアイコン３２０が選択されるときの例示的ＧＵＩ表示３００の実施形態を示す。コンポーネントアイコンのユーザ選択に応じて、そのコンポーネントのための制御オプションフィールド３２４が、キャンバスゾーン２０６の右サイドバー内に表示されてもよい。示される実施形態では、制御オプションフィールド３２４内の制御オプションは、ステップ１６０で説明されるアクションオプションに対応し得る。いくつかの実施形態では、選択されたコンポーネントアイコン３２０は、コンポーネントが選択されていることをユーザに知らせるように、特定の色で輪郭を描かれてもよい。いくつかの実施形態では、選択されたコンポーネントの境界は、青色であってもよく、標識は、太字の青色テキストを備えてもよい。いくつかの従来技術システムでは、コンポーネントの状態がボタンによって表され得る、一般的問題がある。しかしながら、本ボタンはまた、ユーザの混乱につながり得る、そのコンポーネントの状態を変更する制御でもあり得る。いくつかの実施形態では、標識およびアクションは、視覚的に異なって扱われてもよく、コンポーネントの状態は、同様にその状態を変更するように意図されているボタンによって描写されない。ユーザがコンポーネント３２０を選択するとき、制御オプションフィールド３２４は、キャンバスゾーン２０６の右サイドバー上で開いてもよい。青色ストライプパターンが、選択されたコンポーネント３２０と右側のその制御オプションフィールド３２４との間の直接接続を描くために表示されてもよい。圧力／温度視覚ステータス表示３２２は、制御オプションフィールド３２４が開かれるときに、キャンバスゾーン２０６内に再配置されてもよい。選択されたコンポーネント３２０のための状態は、コンポーネントオプションフィールド３２４内の利用可能なコンポーネント機能に近接近し得る、コンポーネント状態フィールド３２６内で明確に標識されてもよい。利用可能な機能は、共通順序およびレイアウトで提示されてもよい。例えば、アクション状態オプション３２８（例えば、閉じる、一時停止、および開く）は、コンポーネント、現在の状態、またはデフォルト状態にかかわらず、常に左から右に列挙されてもよい。利用可能なアクション状態オプション３２８が、ある色を有してもよく、選択可能であり得る一方で、利用不可能なアクションオプションは、異なる色および／またはパターンを有してもよい。いくつかの実施形態では、利用不可能なアクションオプションは、灰色であってもよい、および／または対角線パターンを有してもよい。いくつかの実施形態では、制御オプションフィールド３２４は、１つまたは複数のアクションステータスフィールド３３０と、コンポーネントアクションオプション３３２とを含有してもよい。アクションステータスフィールド３３０が、あるアクションの進捗をユーザに知らせてもよい一方で、コンポーネントアクションオプション３３２は、ユーザが選択されたコンポーネント３２０の種々の機能を果たすことを可能にしてもよい。アクションステータスフィールド３３０は、選択されたコンポーネント３２０に関連する文脈データ（例えば、進捗、ガロン、時間、圧力）を含有してもよい。いくつかの実施形態では、特定の機能がユーザによって選択されるとき、アクションステータスフィールド３３０内のアイコンは、動いて現在のアクションを示し、機能の現在の進捗を示してもよい。文脈データはまた、リアルタイムで更新してもよい。機能が完了したとき、コンポーネント状態フィールド３２６は、更新し、修正された状態を反映してもよく、アクションステータスフィールド３３０内の進捗バーは、修正された文脈データを表示してもよい。
【００６１】
剪断機およびコネクタのような破壊コンポーネントを機能させる前に、ユーザは、破壊機能制御アイコン３１８のうちの１つまたは複数のものを選択することによって、そのタイプのコンポーネントのためのアクセス制御をアクティブ化する必要があり得る。剪断機およびコネクタのような破壊コンポーネント、すなわち、初期アクセス制御を有する任意のコンポーネントに関して、破壊機能を有効にする前に、制御オプションフィールド３２４内に表示される２部確認も存在し得る。いくつかの実施形態では、２部確認は、チェックボックスの選択と、機能アクティブ化ボタンの選択とを備える。
【００６２】
破壊機能制御アイコン３１８の使用は、安全性およびエラー防止対策であってもよい。剪断機およびコネクタ等の破壊機能コンポーネントは、デフォルト状態で無効にされてもよい。これらの破壊コンポーネントをアクティブ化することは、偶発的動作を起こりにくくする意図的ステップを追加してもよい。いくつかの実施形態では、あるコンポーネントは、あるシステムモード中にアクティブ化されるために利用可能ではあり得ない。例えば、ＨＭＩシステムが掘削モードであるとき、坑口コネクタコンポーネントは、アクセスされることが不可能であり得る。ＨＭＩシステムが起動／引動モードであるとき、ライザコネクタコンポーネントは、アクセスされることが不可能であり得る。いくつかの実施形態では、ユーザが破壊機能制御アイコン３１８のうちの１つまたは複数のものをアクティブ化するとき、アイコンは、これらの破壊コンポーネントのアクティブ化が特別な注意を必要とし得ることをユーザにシグナリングするように、赤に着色されてもよい。
【００６３】
図４Ａ−４Ｂは、プロセス制御アイコン３１４が選択されるときの例示的ＧＵＩ表示４００の実施形態を示す。プロシージャ（ダイバータを自動的に閉鎖する、または掘削のためにＢＯＰを並べるような）は、制御および監視を取り除くことなく、ユーザのための反復タスクを削減するように意図されている。プロシージャに応じて、プロシージャは、ユーザ相互作用の変動するレベルを要求する。いくつかの実施形態では、プロセス制御オプションフィールド４０２は、ユーザがプロセス制御アイコン３１４を選択するときに、キャンバスゾーン２０６の右サイドバー内に表示されてもよい。いくつかのプロセスに関して、機能前の随意の確認項目のためのチェックリストが、プロセス制御オプションフィールド４０２内に表示されてもよい。これらは、ＢＯＰシステムの制御外のタスクの有用なリマインダを備えてもよい。要求される機能前確認事項のためのチェックリストもまた、表示されてもよい。これらの事例において、ユーザは、シーケンスまたはプロシージャを開始する前に予防策としてチェックボックスを選択しなければならない。プロシージャを起動する複数の方法が存在し得る事例において、本オプションは、ユーザが選択するために提示されてもよい。いくつかの実施形態では、事前選択されたオプションは、ユーザ設定において構成可能であり得る。要求および推奨される確認項目のためのチェックリストを提供し、チェックボックス予防策ステップを導入することによって、開示される実施形態は、オペレータエラーを低減させ、安全性およびオペレータ信頼性を増加させ得る。
【００６４】
図４Ｂに示されるように、コンポーネント機能ステップ４０４は、それらが機能させられ得る順序で、プロセス制御オプションフィールド４０２内に列挙されてもよい。本順序は、構成可能なプロシージャ設定によって事前判定されてもよい。ユーザは、プロセスアクティブ化ボタン４０６を選択することによって、プロシージャをアクティブ化してもよい。リストの中のステップが完了すると、各ステップに対応する１つまたは複数の実況進捗インジケータ４０８は、プロシージャの現在の進捗を表示してもよい。いくつかの実施形態では、進捗インジケータ４０８は、特定のステップについての付加的詳細（例えば、ガロン数または圧力）を表示するように拡張可能であり得る。プロシージャの全てのステップが完了した後、ユーザは、プロセス終了ボタン４１０を選択することによって、プロシージャを終了させてもよい。
【００６５】
図３Ａに示される実施形態を再び参照すると、ＢＯＰスタック画面は、ロアーマリンライザパッケージ（ＬＭＲＰ）およびＢＯＰのグラフィカル表現またはレイアウトを備えてもよい。これは、ラム、アニュラ、チョークおよびキルバルブ、コネクタ、圧力インジケータ、および総ガロン数等のコンポーネント３２０を含んでもよい。ＢＯＰを動作させるとき、本システムは、手動制御のためのオプション、ならびに事前にプログラムされ、適切なステップを通してユーザを誘導することができる、共通動作プロシージャ３１４を提示してもよい。加えて、本画面は、剪断機およびコネクタ等の破壊コンポーネント３１８、すなわち、誤って機能させられた場合にＢＯＰダウンタイムにつながるであろうコンポーネントのためのアクセス制御モードを備えてもよい。利用可能な圧力および温度センサ値３２２は、制御パネルが存在しない場合、キャンバスゾーン２０６内に表示されてもよい。
【００６６】
いくつかの実施形態では、本システムが掘削モードであるとき、例えば、剪断機制御およびＬＭＲＰコネクタ制御等のある破壊機能３１８のみが、動作可能であり得、坑口コネクタ制御は、本モードでは無効にされてもよい。逆に、本システムが起動／引動モードであるとき、ＬＭＲＰコネクタ制御は、動作可能であり得ない。ユーザは、容量情報３１６を選択し、カウントをリセットし、流体使用の詳細なログを視認するための制御を開いてもよい。示される実施形態では、坑井の上にあり、掘削する能力に影響を及ぼすコンポーネント３２０は、緑色で表示される。これは、坑井が開放しているかどうかの容易な一目瞭然の（または採掘空間を横断する）表示を提供してもよい。あるモードでは、いくつかのコンポーネント３２０は、無効にされてもよい。無効コンポーネントは、有効コンポーネントと同様に色およびアイコンを通してそれらの状態を示してもよい。有効および無効コンポーネントは両方とも、コンポーネントを識別するメタデータまたは標識を有してもよい。これらの標識は、コンポーネントが有効および無効にされるときの両方で可視であり得る。いくつかの実施形態では、フェイルセーフコンポーネントおよびバルブコンポーネントは、それらが異常または予期しない位置にない限り、緑色の代わりに灰色に着色されてもよい。これらの異常な場合において、コンポーネントアイコンは、赤色に着色されるであろう。
【００６７】
図３Ｂに示される実施形態を再び参照すると、アクションステータスフィールド３３０は、時間、体積、および圧力を考慮する１つまたは複数のアルゴリズムに基づいてもよい。これら３つの期待値を把握して、本システムは、進捗を推定し、コンポーネントが期待通りに機能しないときを示すために、これら３つの値を使用してもよい。期待値は、構成段階で定義されてもよく、アクションステータスフィールド３３０は、現在の値および期待値を示してもよい。進捗バーの右側の端は、値がアラームをトリガし得るかどうかの限界を表してもよい。漏出の場合、あるアクションステータスフィールド３３０は、進捗バーの右まで移動してもよく、値のテキスト読出は、数を数え続けてもよい。適切なアラームもまた、値が許容範囲外に移動するときに、（他のアラーム表示点とともに）制御オプションフィールド３２４内に表示されてもよい。
【００６８】
無効コンポーネントまたは制御が選択されるときにフィードバックを提供するために、ＨＭＩは、標準視覚パターンを使用してもよい。本パターンは、フィードバックを与え、本システムがユーザから入力を受信したことを検証し、ユーザがコンポーネントを有効にし得る方法を示すように設計される。例えば、ユーザが無効コンポーネントを選択する場合、コンポーネントアイコンは、透明な白色を点滅させ、境界を受容してもよい。コンポーネントが選択されるのと同時に、選択された無効コンポーネントに関連する制御もまた、上記で議論される同一の視覚インジケータとともに点滅してもよい。初期点滅後、白色の充填および灰色の境界が、１秒の間隔にわたって次第に暗くなってもよい。制御インジケータは、コンポーネントがその前の外観に戻るまで、コンポーネントインジケータと同一の速度で暗くなってもよい。
【００６９】
いくつかの実施形態では、ＨＭＩは、強調された流路３３３を使用することによって、坑井の中の流体および／または圧力の存在を予測してもよい。いくつかの実施形態では、流体が流動することをユーザが予期し得る流路は、青色で強調されてもよい。圧力がおそらく坑井の中で蓄積し得る場合において、坑井のそのセクションは、マゼンタ等の代替的な色で強調されてもよい。流体の主要な流動は、流体が流動の高い確率を有する場所を示すように、青色で強調されてもよい。流体がまた、キルまたはチョークラインの中で流動し得る、いずれの場所も、青色で強調されてもよい。これらの強調された流路３３３は、流体が流動する可能性が高いであろう場所および流体圧力が蓄積する可能性が高くあり得る場所をユーザが迅速に見ることを可能にし得る。
【００７０】
いくつかの実施形態では、ＢＯＰの「正常な」状態は、それが最初に構成されるときに定義されてもよい。コンポーネント３２０がそれらの所定の正常な状態ではない場合、整列プロシージャが、自動的にそれらを正しい状態にするために使用されることができる。本整列プロシージャは、プロセス制御アイコン３１４のうちの１つを備えてもよい。整列プロシージャは、システムの状態の認識、機能するコンポーネントを決定すること、および複数のコンポーネントを手動で機能させることを、１つの自動プロシージャに合体させてもよい。図４Ａに示される実施形態を再び参照すると、プロシージャを開始することに応じて、選択されたプロシージャのための情報が、プロセス制御オプションフィールド４０２内に表示されてもよい。コンポーネント３２０は、プロセス制御オプションフィールド４０２が存在する任意の時間によって定義され得る、プロシージャが起動している間に選択可能であり得ない。機能させられるコンポーネントは、現在の状態および所望の状態に基づいて、動的に判定される。プロセスアクティブ化ボタン４０６を押すことは、プロシージャのステップ４０４を実施し始めてもよい。コンポーネント機能が完了すると、それらの進捗インジケータ４０８は、１００％を示し、現在の機能のステータスは、進捗インジケータを表示するように拡張されてもよい。完了に応じて、プロセス終了ボタン４１０を押すことは、プロセス制御オプションフィールド４０２を閉じ、個々のコンポーネント３２０を再び有効にしてもよい。プロシージャ中または後の任意の時点で、個々のステップ進捗インジケータ４０８は、より詳細な情報（例えば、時間、ガロン数、およびレギュレータ圧力）を示すように拡張されてもよい。
【００７１】
いくつかの実施形態では、油井を封鎖する一連のアクションもまた、ＨＭＩにおいてプロシージャとして設計されてもよい。プロシージャとして、これは、ポリシが異なる石油掘削リグの間で一様に実装され、ユーザによって適切に従われ得ることを確実にする。本油井封鎖プロシージャは、プロセス制御アイコン３１４のうちの１つを備えてもよい。油井封鎖プロシージャは、ユーザが災害時に自分の訓練を思い出すことに役立つ、少数の随意の項目を有してもよい。随意の項目は、油井を封鎖するという時間的制約のある行為を減速しないであろう項目である。油井封鎖プロシージャの中に最初に含まれ得る重要なステップは、アニュラのうちの１つの閉鎖であってもよい。これは、展開時に構成されることができる。プロセスアクティブ化ボタン４０６を押すことは、選択されたアニュラを即時に機能させ始めてもよい。アニュラが閉鎖すると、進捗が、進捗インジケータ４０８によって表示されてもよく、より詳細な情報が、進捗モジュールを拡張することによって見出されることができる。本詳細な情報は、ユーザが時間、圧力、およびガロン数を検証することを可能にし得る。アニュラが閉鎖した後に、ユーザは、２つのオプションを有してもよく、すなわち、１）ユーザは、チョークバルブを開放してキックを管理し始めるステップ等の他のコンポーネントを含むように構成されることができる、随意のステップを視認し、２）他の懸念またはシステムに対処するためにプロシージャを終了してもよい。随意のステップ毎に、自動的に複数の機能を発射するのではなく、ユーザがある機能を選択するための付加的プロンプトが存在し得る。ユーザが随意のステップを視認することを決定する場合、プロシージャは、全ての随意のステップが実行または考慮された後に終了されてもよい。
【００７２】
いくつかの実施形態では、制御システムは、機能しているＢＯＰコンポーネントで使用される全ての流体を自動的に監視してもよい。コンポーネント毎にコンポーネントオプションフィールド３２４内に表示され得る機能毎に自動カウントが存在し得るが、全てのコンポーネントのための全体的ガロン数を示し得る、総ガロン数も存在し得る。本総ガロン数は、容量情報３１６に示されてもよい。ＢＯＰスタック画面は、本全体的ガロン数を表示してもよく、また、ユーザがそれをゼロにリセットすることを可能にしてもよい。これは、規制に準拠し、適切なコンポーネント機能性を検証するという両方の目的のために、流動を監視するときにユーザにとって有用であり得る。ガロンカウンタは、画面の右側のその独自のコンポーネントオプションフィールド３２４を開くであろうというアフォーダンスとして、コンポーネントのように視覚的に扱われ得る。ガロン数のために利用可能な唯一の制御は、ガロン数リセットボタンであってもよい。小さい傾向線が、より詳細に過去の値を視認するオプションとともに、デフォルト過去時間周期のために示されてもよい。
【００７３】
いくつかの実施形態では、ＨＭＩは、１つまたは複数の機能のユーザ選択に応じて、可聴フィードバックをユーザに提供してもよい。例えば、ＢＯＰスタック画面は、ユーザがＢＯＰ上で種々の機能を作動させることを可能にしてもよい。これらの機能は、上部パイプラム、下部パイプラム、アニュラ、および同等物等のコンポーネントを制御してもよい。特定の機能のユーザ選択に応じて、可聴フィードバックシステムは、選択された機能の可聴確認をユーザに提供してもよい。例えば、ユーザが上部パイプラムを選択するとき、上部パイプラムが選択されていることを確認する可聴確認が、ユーザに発行されてもよい。ある事例では、ユーザは、選択に不注意であり得、望ましくない機能を選択し得る。これらの場合において、可聴確認は、正しくない選択についてユーザに警告し、機能が開始される前にユーザが正しい選択を行うことを可能にし得る。上記の実施例では、ユーザは、下部パイプラムの代わりに上部パイプラムを誤って選択している場合がある。ユーザが可聴確認を受信するとき、ユーザは、自分が望ましくない機能を選択したことを認識し得る。ユーザは、次いで、戻って下部パイプラムを選択し、任意の機能が開始される前に可聴確認を受信してもよい。したがって、可聴フィードバックシステムは、可能性として考えられる不注意についてユーザに警告し、そうでなければ偶発的機能開始に起因してＢＯＰに引き起こされ得る損傷を軽減し得る、別の安全性要素を提供してもよい。
【００７４】
図５は、ユーザが表面系オプションを選択するときの例示的ＧＵＩ表示５００の実施形態を示す。示される実施形態では、状態オプションフィールド５０２は、種々の表面系コンポーネントの現在の状態へのアクセスをユーザに与え得る、１つまたは複数の表面系コンポーネントオプションアイコン５０４を備えてもよい。これらの表面系コンポーネントは、流体混合ユニットと、油圧動力ユニットと、ホットラインおよび導管バルブパッケージ（ＨＬＣＶＰ）と、帯状の表面アキュムレータとを含んでもよい。これらのシステムのグラフィック表現は、適切なときに使用されてもよい。表面系コンポーネントオプションアイコン５０４の選択に応じて、コンポーネントステータス情報は、キャンバスゾーン２０６の中心部分の中に表示されてもよい。いくつかの実施形態では、監視および制御されることができるコンポーネントならびにセンサを含む、選択されたシステムの表現描写５０６が表示されてもよい。
【００７５】
いくつかの実施形態では、油圧動力ユニットは、表面アキュムレータバンクと併せて、剛性導管およびホットラインを通してオンスタック共通レールに加圧油圧流を供給することに関与し得る。流体混合ユニットは、添加剤濃縮物およびグリコールを貯蔵し、計量された添加剤濃縮物、グリコール、および飲料水を油圧動力ユニットリザーバタンクに送達してもよい。表面アキュムレータバンクは、ＢＯＰの公称動作のための貯蔵された油圧エネルギーに関与し得る。ホットラインおよび導管バルブパッケージ（ＨＬＣＶＰ）は、海中で流体濾過を提供し、流体の質を診断し、剛性導管およびホットラインを単離して洗浄する手段を提供し、表面圧力源を共通レールに接続することに関与し得る。
【００７６】
図６は、ユーザが電子ライザ角度オプションを選択するときの例示的ＧＵＩ表示６００の実施形態を示す。これらの画面は、ＢＯＰおよびライザの位置ならびに角度についての情報を表示してもよい。本情報は、Ｘ−Ｙグラフならびに表形式上で可視化されてもよい。示される実施形態では、ライザ角度のバーティカル概観６０２が、キャンバスゾーン２０６の左側に表示されてもよい。ライザ角度情報のトップダウン視覚概要グラフ６０４が、キャンバスゾーン２０６の右側に表示されてもよい。示される実施形態では、ユーザは、複数の視認オプションアイコン６０６のうちの１つまたは複数のものを選択し、トップダウン視覚概要グラフ６０４の中の角度情報を視認することができる。
【００７７】
図７は、ユーザがダイバータオプショを選択するときの例示的ＧＵＩ表示７００の実施形態を示す。本オプションは、ダイバータに関連するいくつかのバルブ、レギュレータ、および他のデバイスの状態を示してもよく、また、変化する圧力を促進してもよい。本オプションは、各装置が異なるダイバータ設定およびコンポーネントを有し得るため、構成可能である必要があり得る。示される実施形態では、プロセスオプションフィールド７０２は、ダイバータ閉鎖シーケンスおよび掘削のための整列シーケンス等の１つまたは複数の自動および誘導プロシージャへの迅速アクセスをユーザに与え得る、１つまたは複数のプロセスオプションアイコン７０４を備えてもよい。いくつかの実施形態では、ダイバータシステムの表現描写７０６が、ライザの状態および主要接続コンポーネントの状態の概観をユーザに与えるように表示されてもよい。コンポーネントは、それらが物理的に接続される方法によって編成されてもよい。１つまたは複数のドッグコンポーネントが、キャンバスゾーン２０６の左側のダイバータシステム描写と別個に示されてもよい。いくつかの実施形態では、圧力／温度視覚ステータス表示７０８は、ユーザが種々のコンポーネントのための圧力および温度読取値を監視することを可能にするために利用可能であり得る。
【００７８】
上記で議論される実施形態と同様に、ユーザは、表現描写７０６からコンポーネントを選択し、キャンバスゾーン２０６の右側でコンポーネント制御フィールド（示されていないがコンポーネントオプションフィールド３２４に類似する）を開いてもよい。コンポーネント制御フィールドは、図３Ｂに示されるようなコンポーネント状態フィールド３２６、利用可能アクション状態オプション３２８、１つまたは複数のアクションステータスフィールド３３０、およびコンポーネントアクションオプション３３２に類似する、要素を備えてもよい。ユーザは、１つまたは複数のアクション状態オプション３２８を選択することによって、動作を開始してもよい。種々のコンポーネントの表現描写７０６は、コンポーネント状態フィールド３２６内の表示のために異なる状態を有してもよい。例えば、バルブは、開放および閉鎖状態を有してもよく、パッカは、通電および非通電状態を有してもよく、ドッグは、掛止および掛止解除状態を有してもよい。アクションステータスフィールド３３０は、現在の値および期待値を示し得る、進捗インジケータを備えてもよい。関連付けられるレギュレータ要素もまた、コンポーネント制御フィールドから制御されてもよい。
【００７９】
示される実施形態では、プロセスオプションアイコン７０４に対応するダイバータプロシージャおよびシーケンスが、図３Ａ−Ｂに示される実施形態と同様に、プログラム、提示、ならびに動作されてもよい。ダイバータ自動閉鎖シーケンスまたは掘削のための整列シーケンスが、対応するプロセスオプションアイコン７０４を選択するユーザによってアクティブ化されてもよい。これらの事例では、制御システムは、各影響を受けたコンポーネントの状態を評価し、新しい状態に達するシステムの効率を油圧によって最適化する一連の制御イベント（例えば、開放、閉鎖、掛止、通電）を生成してもよい。ダイバータ自動閉鎖シーケンスプロシージャに関して、コンポーネントは、シーケンスが開始されるときに、これらの状態、すなわち、ダイバータロッキングドッグ延在、流動ラインシール通電、マスタ船外通気バルブ開放、ポート（または右舷）通気船外バルブ開放、流動ラインバルブ閉鎖、トリップタンク帰還バルブ閉鎖、下部ソリッドパッカ通電、ダイバータパッカ閉鎖になってもよい。掘削のためのダイバータ整列プロシージャに関して、コンポーネントは、シーケンスが開始されるときに、これらの状態、すなわち、掘削機が流動ラインまたはトリップタンク帰還ライン上で整列するかどうかに応じて流動ラインバルブ開放／閉鎖、充填バルブ閉鎖、試験ラインバルブ閉鎖、掘削機が流動ラインまたはトリップタンク帰還ライン上で整列するかどうかに応じてトリップタンク帰還バルブ開放／閉鎖、水注入バルブ閉鎖、ダイバータパッカ開放、ダイバータロッキングドッグ延在、挿入パッカロッキングドッグ延在、マスタ船外バルブ閉鎖、泥ガスセパレータバルブ閉鎖、ダイバータ筐体ドッグまでの張力リング延在、伸縮式継手ラッチドッグ延在になってもよい。ユーザは、選択されたシーケンスをアクティブ化し、自動的に起こるようにプロシージャの中のステップを開始してもよい。シーケンスが実施されている間に、ユーザは、プロシージャのステップ毎にガロン数、圧力、および経過時間の付加的詳細を見る能力を有してもよい。
【００８０】
図８Ａは、ユーザが診断オプションを選択するときの例示的ＧＵＩ表示８００の実施形態を示す。示される実施形態では、診断画面は、ＢＯＰの準備に影響を及ぼし得る、アラーム、イベント、および他のインジケータについての情報を提示してもよい。診断画面はまた、ＢＯＰの準備および規制基準への準拠の状態の概観を提示してもよい。示される実施形態では、規制ステータスパネル８０２は、油井を安全に確実にするために検証されなければならない、１つまたは複数の主要な準拠規制８０４を列挙してもよい。示される実施形態では、列挙される規制８０４のうちのいずれかが、不正確または利用不可能になる場合には、本システムは、規制基準への準拠外と見なされ得る。いくつかの実施形態では、油井は、非準拠機能またはコンポーネントの診断および是正が実施され得るまで、動作停止されてもよい。示される実施形態では、ユーザは、主要準拠規制８０４を選択し、システムを準拠外にさせている機能のためのＢＯＰ機能詳細画面にナビゲートしてもよい。いくつかの実施形態では、本システムが準拠外である場合、規制ステータスパネル８０２内のいずれかの場所をクリックすることは、システムを準拠外にさせている第１の機能にユーザを自動的に到達させてもよい。いくつかの実施形態では、本システムが準拠外ではない場合、規制ステータスパネル８０２内のいずれかの場所をクリックすることは、パネル内に列挙される第１の機能にユーザを自動的に到達させてもよい。示される実施形態では、イベント概観パネル８０６は、制御システムによって開始および受信の両方が行われる直近のイベントの時系列図を表示してもよい。いくつかの実施形態では、イベント概観パネル８０６内のいずれかの場所をクリックすることは、ユーザを１つまたは複数のイベントログ画面に到達させてもよい。示される実施形態では、動作ステータスフィールド８０８は、制御システムの種々のサブシステム８１０の動作準備の概要を提供してもよい。いくつかの実施形態では、本フィールド内の個々のサブシステム８１０のうちの１つをクリックすることは、ユーザが選択されたサブシステムのための診断概要画面にナビゲートすることを可能にしてもよい。
【００８１】
図８Ｂは、ユーザが診断オプション内のＢＯＰコンポーネントオプションを選択するときの例示的ＧＵＩ表示８００の実施形態を示す。図８Ｂに示される表示８００は、図８Ａに示される動作ステータスフィールド８０８からのサブシステム８１０のユーザ選択に応じて、表示されてもよい。示される実施形態では、１つまたは複数の表示カテゴリオプションアイコン８１２が選択されてもよい。いくつかの実施形態では、ＢＯＰコンポーネント情報画面が、デフォルト画面として、または対応するカテゴリオプションアイコン８１２のユーザ選択に応じて、表示されてもよい。ＢＯＰコンポーネント情報画面からコンポーネント８１４を選択することは、コンポーネントオプションフィールド８１６内の選択されたコンポーネントについての詳細な診断情報を持ち出してもよい。しかしながら、示される実施形態では、コンポーネントオプションフィールド８１６の中に含有されるオプションは、無効にされ、コンポーネント８１４は、本画面から機能させられることができない。診断オプションは、いくつかの主要システム要件を満たし得る。例えば、本システムは、数え続け、デバイスが動作される（例えば、開放または閉鎖される）回数を表示することが可能であり得る。本システムはまた、ＢＯＰの各部品についての保守データを追跡してもよい。追跡される情報は、配設の日付、部品番号、最後にチェックされた日付、および動作の数を含み得るが、それらに限定されない場合がある。本システムはまた、コンポーネントが平均故障回数に到達しているとき、または動作の数が推奨される数に接近する、もしくはそれを超えるときを示してもよい。加えて、診断オプションは、ユーザ役割に基づいてアクセス可能であり得る。例えば、一部のユーザは、他のユーザよりも優れた診断アクセス特権を有し得る。
【００８２】
図８Ｃは、ユーザが診断オプション内のＢＯＰ機能オプションを選択するときの例示的ＧＵＩ表示８００の実施形態を示す。いくつかの実施形態では、ＢＯＰ機能詳細画面は、具体的ＢＯＰコンポーネントへの動作パスを示すであろう。示される実施形態では、１つまたは複数のコンポーネントオプションアイコン８０８が選択されてもよい。ユーザによるコンポーネントオプションアイコン８１８の選択に応じて、１つまたは複数のコンポーネント機能フィールド８２０が、選択されたコンポーネントのために利用可能な機能に対応するキャンバスゾーン２０６内に表示されてもよい。コンポーネント機能フィールド８２０は、１つまたは複数の診断表示を備えてもよい。例えば、チャネル制御は、ユーザがアクティブチャネルのための診断情報を視認することを可能にし得る、またはユーザがチャネルのうちのいずれかを手動で視認することを可能にし得る。レギュレータ圧力が、瞬時値および現行の傾向の両方として表示されてもよい。統合マニホールドが、機能的バルブブロックとして表されてもよい。いくつかの実施形態では、バルブの状態は、スタンバイ、作動、または通気のいずれかの全体的状態として表示されてもよい。流量および／または流速が、グラフィック傾向として表示されてもよい。コンポーネント制御フィールド８２２は、選択されたコンポーネント機能フィールド８２０のためのコンポーネント機能をアクティブ化するための制御を備えてもよい。ユーザは、コンポーネント制御フィールド８２２内の種々のオプションを選択し、選択されたコンポーネント機能の種々の側面をアクティブ化してもよい。例えば、ユーザは、特定の油圧源システムを選定して機能を動作させてもよい、または動作する統合マニホールドの特定のチャネルを選定してもよい。
【００８３】
図８Ｄは、詳細な準拠データを表示する例示的ＧＵＩ表示８００の実施形態を示す。図８Ｄに示される表示８００は、図８Ａに示される規制ステータスパネル８０２からの主要準拠規制８０４のユーザ選択に応じて表示されてもよい。示される実施形態では、具体的ＢＯＰコンポーネントへの種々の動作パスが図示されてもよい。示される実施形態では、機能ナビゲーションパネル８２４は、選択可能なＢＯＰ機能のリストを表示し、ユーザが所望の機能に容易にナビゲートすることを可能にしてもよい。機能ナビゲーションパネル８２４からのＢＯＰ機能のユーザ選択に応じて、診断決定パスツリー８２６が表示されてもよい。決定パスツリー８２６は、選択されたＢＯＰ機能を果たすことに関与する全てのリグコンポーネントの規制準拠状態を表してもよい。診断決定パスツリー８２６は、レベル８２８、ノード８３０、およびあるノードをともに接続することができる経路８３２を備えてもよい。各レベル８２８は、特定のリグコンポーネントに対応し得、各ノード８３０は、そのコンポーネントによって果たされる特定の機能に対応し得る。示される実施形態では、レベル８２８は、機能ナビゲーションパネル８２４内でユーザによって選択される上部アニュラ閉鎖機能を果たすことに関与する、統合マニホールドアセンブリ、レギュレータ、共通レール、ならびに剛性導管およびホットライン等のコンポーネントに対応する。ノード８３０のそれぞれにおいて、特定の機能またはコンポーネントが適切に動作しており、規制に準拠しているかどうかをユーザに知らせ得る、アイコン８３４が表示されてもよい。
【００８４】
診断詳細８３６は、診断機能を果たす際にユーザを支援するように表示されてもよい。例えば、示される実施形態では、診断決定パスツリー８２４は、選択された機能のためにレベル８２８に列挙されるリグコンポーネントを通して、利用可能な油圧経路の全てを表示してもよい。示される実施形態では、各機能は、決定パスツリー８２６内の経路８３２によってそれぞれ表される、３つの可能性として考えられるチャネルを有してもよい。機能が動作されるときに、これらのチャネルのそれぞれの詳細な測定を表し得る、診断詳細８３６が表示されてもよい。示される実施形態では、診断詳細８３６は、レギュレータ圧力、共通レール圧力、機能圧力、および通気圧力を含んでもよい。レギュレータ圧力が、瞬時値および現行の傾向の両方として表示されてもよい。示される実施形態では、機能制御フィールド８３８は、機能ナビゲーションパネル８２４の中で選択される機能に特有であり得る。機能制御フィールド８３８は、複数の機能を含んでもよいが、選択された機能のみが実行されてもよい。いくつかの実施形態では、機能制御フィールド８３８内で、ユーザは、機能を動作させ得る油圧源システム、またはアクティブ化され得る統合マニホールドのチャネルを選定することが可能であり得る。診断詳細８３６および機能制御フィールド８３８内の要素にアクセスすることによって、ユーザは、準拠していない場合があるリグコンポーネントまたは機能にアクセスし、是正措置を実施することが可能であり得る。ユーザが是正措置を実施すると、アイコン８３４は、以前は準拠していなかった機能またはコンポーネントが現在は準拠していることをユーザに知らせるように変化してもよい。
【００８５】
ユーザがレベル８２８を選択するとき、現在選択されているレベルが、青色等の特定の色の選択境界とともに表示されてもよい。類似選択境界線もまた、ナビゲーションパネル８２４からの現在選択されている機能またはＧＵＩ表示８００内の他の現在選択されているアイコンを表してもよい。いくつかの実施形態では、表示８００は、現在選択されているレベルに対応するように変化してもよい。より具体的には、特定のレベル８２８の選択に応じて、診断詳細８３６は、選択されたレベルに対応するように変化してもよい。例えば、統合マニホールドアセンブリに対応するレベル８２８が選択される場合、表示８００は、統合マニホールドアセンブリと関連付けられる診断詳細８３６および機能制御フィールド８３８を表示するように変化してもよい。表示は、同様に、レギュレータ、共通レール、または剛性導管およびホットラインが選択されるときの選択に対応するように変化してもよい。
【００８６】
いくつかの実施形態では、対応するレベル８２８のユーザ選択に応じて、統合マニホールド表示は、統合マニホールド内の油圧の状態の単一表示を与えてもよい。圧力読取値は、入力および出力側の両方で読み取られてもよい。診断詳細８３６は、３つの流動チャネルのうちのそれぞれの統合マニホールド概要情報、電気制御ステータス、ならびに入力および出力圧力を含んでもよい。機能制御フィールド８３８は、種々の診断および／または是正機能を果たすようにユーザによって選択され得る、統合マニホールドアセンブリと関連付けられる機能を表示するように変化してもよい。
【００８７】
いくつかの実施形態では、対応するレベル８２８のユーザ選択に応じて、レギュレータ表示は、レギュレータ群内の油圧の状態の単一表示を与えてもよい。圧力読取値は、各レギュレータの入力および出力側の両方で読み取られてもよい。レギュレータ群の中の各レギュレータからのステータスおよび圧力読取値は、各レギュレータアセンブリの概要の中に含まれてもよい。診断詳細８３６は、３つの流動チャネルのうちのそれぞれのレギュレータアセンブリ概要情報、電気制御ステータス、ならびに入力および出力圧力を含んでもよい。診断詳細８３６はまた、レギュレータから下流のチャネルの中に接続される各統合マニホールドと関連付けられる、データおよび対応する機能を表示してもよい。ユーザは、診断詳細８３６から１つまたは複数の機能を選択し、選択された統合マニホールド機能にナビゲートしてもよい。機能制御フィールド８３８は、種々の診断および／または是正機能を果たすようにユーザによって選択され得る、レギュレータアセンブリと関連付けられる機能を表示するように変化してもよい。
【００８８】
いくつかの実施形態では、対応するレベル８２８のユーザ選択に応じて、剛性導管およびホットライン表示は、ホットラインおよび剛性導管バルブパッケージ内の油圧の状態の単一表示を与えてもよい。圧力読取値は、各バルブパッケージの入力および出力側の両方で読み取られてもよい。各剛性導管およびホットラインからのステータスおよび圧力読取値は、各バルブパッケージの概要の中に含まれてもよい。診断詳細８３６は、３つの流動チャネルのうちのそれぞれの剛性導管およびホットライン概要情報、電気制御ステータス、ならびに入力および出力圧力を含んでもよい。診断詳細８３６はまた、各剛性導管およびホットラインバルブパッケージと関連付けられる、データおよび対応する機能を表示してもよい。ユーザは、診断詳細８３６から１つまたは複数の機能を選択し、選択された剛性導管およびホットライン機能にナビゲートしてもよい。機能制御フィールド８３８は、種々の診断および／または是正機能を果たすようにユーザによって選択され得る、バルブパッケージと関連付けられる機能を表示するように変化してもよい。
【００８９】
いくつかの実施形態では、対応するレベル８２８のユーザ選択に応じて、共通レール表示は、海中システム内の油圧の状態の単一表示を与えてもよい。ホットラインおよび剛性導管バルブパッケージの下流部分から入手可能な流量計および圧力読取値が、診断詳細８３６の中に表示されてもよい。診断詳細８３６はまた、下流レギュレータアセンブリのそれぞれのデータを表示してもよい。各レギュレータからのステータスおよび圧力読取値は、各レギュレータアセンブリの概要の中に含まれてもよい。診断詳細８３６はまた、共通レール概要情報および電気制御ステータスを含んでもよい。診断詳細８３６はまた、共通レールへのチャネルの中に接続される各レギュレータと関連付けられる、データおよび対応する機能を表示してもよい。ユーザは、診断詳細８３６から特定のレギュレータを選択し、選択されたレギュレータに対応する機能にナビゲートしてもよい。いくつかの実施形態では、本システムは、選択されたレギュレータのための第１のデフォルト機能にナビゲートしてもよい。ユーザが診断のために異なるレギュレータを選択すると、決定パスツリー８２６は、現在選択されているような選択されたレギュレータに対応するレベル８２８を示すように修正されてもよい。機能制御フィールド８３８は、種々の診断および／または是正機能を果たすようにユーザによって選択され得る、レギュレータと関連付けられる機能を表示するように変化してもよい。
【００９０】
図９は、診断イベントログの例示的ＧＵＩ表示９００の実施形態を示す。示される実施形態では、イベントログは、ＢＯＰ制御システム全体の動作および性能についての情報をユーザに提供してもよい。示される実施形態では、イベントのための一連のフィルタが、フィルタオプションフィールド９０２内に列挙されてもよい。これらのフィルタは、日付の範囲、影響を受けたシステム、またはイベントタイプを含んでもよい。示される実施形態では、イベントのタイムラインフィールド９０４が、フィルタオプションフィールド９０２の中で選択されるフィルタオプションに基づいて表示されてもよい。スライディング制御９０６は、付加的フィルタリング機能性を提供してもよい。スライディング制御９０６は、表示されたイベントの時間間隔を選択するように、タイムラインに沿って水平に移動されてもよい。選択された時間間隔内のイベントは、表形式でイベントリストフィールド９０８内に表示されてもよく、イベント詳細および属性を表示してもよい。ユーザは、タイムラインフィールド９０４またはイベントリストフィールドからイベントを選択し、詳細フィールド９１０内で選択されたイベントについての付加的詳細を表示してもよい。完全なイベント詳細は、関連イベントまたは影響を受けたシステムへの可能性として考えられるリンクとともに、詳細フィールド９１０内に提示されてもよい。ユーザは、フィルタアイコン９１２を選択し、選択されたイベントと同一のタイプの他のイベントを迅速に視認してもよい。各イベントは、インターフェースを通して値をユーザに提供するために、いくつかの属性および値を備えてもよい。これはまた、イベントログ画面で描写されるフィルタリングおよび可視化特徴も有効にするであろう。
【００９１】
図１０は、圧力／温度ログの例示的ＧＵＩ表示１０００の実施形態を示す。示される実施形態では、圧力／温度ログは、選択された圧力および温度センサの履歴データを表示してもよい。いくつかの実施形態では、圧力／温度ログは、図３Ａに示される視覚ステータス表示３２２の圧力および温度センサ読取値のうちのいずれかのユーザ選択によってアクセスされてもよい。示される実施形態では、イベントのための一連のフィルタが、フィルタオプションフィールド１００２内に列挙されてもよい。特定の視覚ステータス表示３２２からの圧力および温度センサの選択は、あるフィルタをすでに適用している場合があるが、これらのフィルタは、時間範囲および他のフィルタタイプを含んでもよい。示される実施形態では、可視化フィールド１００４は、フィルタオプションフィールド１００２から選択される時間周期にわたってグラフ化される温度および圧力を表示してもよい。可視化フィールド１００４からの詳細なデータ点が、表１００６に列挙されてもよい。表１００６からのイベントの選択に応じて、選択されたイベントおよびコンポーネントまたはセンサの付加的詳細が、詳細フィールド１００８内に提示されてもよい。
【００９２】
図１１は、ＢＯＰコンポーネントログの例示的ＧＵＩ表示１１００の実施形態を示す。示される実施形態では、ＢＯＰコンポーネントログは、コンポーネントの機能の履歴を表示してもよい。示される実施形態では、イベントのための一連のフィルタが、フィルタオプションフィールド１１０２内に列挙されてもよい。これらのフィルタは、イベント数範囲および機能タイプを含んでもよい。示される実施形態では、可視化フィールド１１０４は、選択された機能タイプに関連し、フィルタオプションフィールド１１０２から選択されるイベント数範囲にわたってグラフ化されるデータを表示してもよい。示される実施形態では、上部アニュラの閉鎖機能の履歴ガロンおよび秒数が両方とも、具体的な数の過去のイベントについてグラフ化される。可視化フィールド１１０４からの詳細なデータ点が、表１１０６に列挙されてもよい。表１１０６からのイベントの選択に応じて、選択されたイベントおよびコンポーネントの付加的詳細が、詳細フィールド１１０８内に提示されてもよい。
【００９３】
図８Ａに示される実施形態を再び参照すると、レギュレータカテゴリオプションアイコン８０２は、海中コンポーネント内の油圧の状態の単一表示を与えてもよい。キャンバスゾーン２０６は、レギュレータおよびそれらの動作状態の表現描写を表示するために使用されてもよい。各レギュレータは、名前を付けられてもよく、メタデータは、影響を受けたコンポーネント、動作範囲、設定点、およびリードバック値の説明を含んでもよい。統合マニホールドカテゴリオプションアイコン８０２は、マニホールドの全ての概要を表示してもよく、ユーザがマニホールド内のバルブ位置および圧力の詳細を見ることを可能にし得る。キャンバスゾーン２０６は、統合マニホールドおよびそれらの動作状態の表現描写を表示するために使用されてもよい。各マニホールドは、いくつかのバルブおよび圧力読取値を有してもよい。
【００９４】
カテゴリオプションアイコン８０２に対応する通信システムは、種々のＨＭＩインターフェースと物理的海中コンポーネントとの間でコマンドおよびデータを転送することに関与し得、通信ネットワークの表現描写を表示してもよい。通信ネットワーク内の各ノードは、温度および水の浸入等のいくつかの自己診断属性を監視する能力を有してもよい。診断のために利用可能であり得る情報の実施例は、物理的メディアリンクの状態、通信アクティビティのログ、通信メッセージカウンタ、通信ノードステータス、および通信パケット破損検出を含む。
【００９５】
油圧カテゴリオプションアイコン８０２は、油圧動力源のリストを表示し、容易なナビゲーションを可能にし得る。キャンバスゾーン２０６は、ポンプおよびモータならびにそれらの動作状態の表現描写を表示するために使用されてもよい。油圧動力源セクションの中の項目をクリックすることは、キャンバスゾーン２０６内の表示を更新してもよい。新しいイベントが、モータが始動する時間毎に生成されてもよい。これらのイベントは、起動するモータの数および全体的なシステム性能へのそれらの影響を示すように描写されてもよい。現在のイベントが、より詳細に表示されてもよい。現在起動しているモータが、傾向線とともに描写されてもよい一方で、動作していないモータは、それらの状態の高レベル概要を表示させてもよい。リザーバカテゴリオプションアイコン８０２は、流体リザーバの表現描写を表示してもよい。カテゴリオプションアイコン８０２に対応する電気システムは、表面から海中コンポーネントに電力を転送することに関与し得、電気ネットワークの表現描写を表示してもよい。電気ネットワークは、通信ネットワークに類似し得るが、電気測定を表示してもよい。
【００９６】
図１２は、ユーザが試験オプションを選択するときの例示的ＧＵＩ表示１２００の実施形態を示す。試験画面は、規制機関によって要求され、機能的問題の早期検出に役立つ、周期的試験のための自動記録機構をユーザに与えてもよい。いくつかの実施形態では、試験システムは、手動方法（例えば、完全ユーザ相互作用）および誘導方法（例えば、周期的ユーザ相互作用）の両方で機能試験ならびに圧力試験の起動を促進してもよい。本システムは、数え続け、デバイスが動作される（例えば、開放または閉鎖される）回数を表示することが可能であり得る。機能試験は、期待ガロン数および閉鎖／開放する時間をプログラムしている場合がある。本システムはまた、期待ガロン数または閉鎖／開放する時間が超えられるときを示してもよく、ＢＯＰの各部品についての保守データを追跡してもよい。追跡される情報は、配設の日付、部品番号、最後にチェックされた日付、および動作の数を含み得るが、それらに限定されない場合がある。
【００９７】
ＧＵＩ表示１２００は、新しい試験を実施するユーザオプションを与える、試験カテゴリフィールド１２０２と、個々のシステムコンポーネントについての動作情報を表示する表を備える、試験ステータスフィールド１２０４と、最近実施された機能および圧力試験を示すための過去機能試験フィールド１２０６ならびに過去圧力試験フィールド１２０８とを備えてもよい。試験ステータスフィールド１２０４は、作動の数ならびに最後に動作された時間および／または日付を含む、各コンポーネントについての情報をユーザに与える。本情報は、コンポーネントが試験されるべきかどうかを判定するために使用されてもよい。過去機能試験フィールド１２０６および過去圧力試験フィールド１２０８内に列挙される各以前の試験は、試験に合格した場合のチェックマーク、または見出された問題の数のインジケーションを含んでもよい。これらの項目のうちの１つをクリックすることは、試験レポートをユーザに表示してもよい。
【００９８】
いくつかの実施形態では、ＨＭＩは、３つのタイプの試験、すなわち、機能試験、圧力試験、および他の試験をサポートしてもよい。機能試験は、典型的には、７〜１４日毎に起動されてもよく、完了するために数時間を要し得る。オペレータが試験カテゴリフィールド１２０２から機能試験を選択する場合、試験ステータスフィールド１２０４は、試験される予定であるコンポーネントを投入されてもよい。ある事例では、ユーザは、試験を開始する前にコンポーネントを追加または除去することができる。ユーザは、正常なＢＯＰ機能を反映し得る、任意の順序でコンポーネントを機能させることができる。結果ページは、所望の試験が実施された後に視認されてもよい。注意を必要とする項目は、リストの最上部に行き、各項目についての詳細は、リスト上の項目を選択することによって視認されてもよい。圧力試験は、典型的には、１４〜２１日毎に起動されてもよく、完了するために数時間を要し得る。オペレータが試験カテゴリフィールド１２０２から圧力試験を選択する場合、本システムは、上記で説明される機能試験からのパターンに従うであろう。本システムは、構造化されていない「他の」試験が記録されることを可能にし得、これは、イベントログが試験の一部としてこの時間の間に全てのアクションを識別するにつれて、より粒度の細かい分析を可能にし得る。例えば、ユーザがケーシング完全性試験のような単純なセンサベースの試験を実施することを所望する場合、「その他」を選択することは、ユーザが、必要とされるだけ多いまたは少ない記録されるコンポーネントもしくはセンサを選択することを可能にするであろう。本システムは、次いで、いかなる余分なオーバーヘッドも伴わずに、ユーザが独力で試験を実行することを可能にし得る。ユーザにとって大きな利益は、試験からの全てのセンサおよびコンポーネントの自動記録であり得る。
【００９９】
いったん試験が試験カテゴリフィールド１２０１から選択されると、ユーザは、本試験についてのある一般的情報を入力し、試験されるコンポーネントのサブセットを選択してもよい。その特定の試験事例についての情報は、ユーザによって記録されてもよい。いくつかのフィールドは、変化する可能性が低い情報（例えば、装置および油井）ならびに本システムがすでに把握している可能性が高い情報（例えば、日付）に基づいて、自動的にデータ投入されることができる。試験されるコンポーネントは、全てのコンポーネントのリストから選択可能であり得る。選択は、許容時間周期内で試験または動作されていない、これらのコンポーネントのみを含むようにデフォルトにされてもよい。
【０１００】
ユーザが試験を開始するとき、ユーザは、各選択されたコンポーネントの動作を通して誘導されてもよい、または試験するコンポーネントを随意に選定してもよい。ユーザは、順序通りにリストに従う、または所望に応じて項目を選択することを選定してもよい。コンポーネントは、ナビゲーションリストまたはコンポーネント図のいずれかを通して、試験のために選択されてもよい。コンポーネントは、次いで、図３ＡのＢＯＰスタック画面に示される典型的オペレータインターフェースを通して、通常通りに動作されてもよい。本誘導試験は、ユーザが試験に費やす時間を著しく短縮することによって、ユーザにとって有益であり得る。これはまた、リグコンポーネントの全体的な試験時間を短縮し、コンポーネントがそれらの個別の機能を果たすために利用可能であり得る時間を増加させ得る。
【０１０１】
試験が完了したとき、結果概要ページは、ユーザがエラーを理解し、動作能力に影響を及ぼし得る差し迫った条件を探すことを可能にするように精査されることができる。ユーザは、試験の概観属性を編集して保存するオプションを選択してもよい。コンポーネントレポート表は、警告、エラー、および各コンポーネントの試験の基本的ステータスを表示してもよい。そのコンポーネントの試験の詳細もまた、表示されてもよい。関連付けられるセンサ値もまた、機能させられたコンポーネントに基づいて記録および表示されてもよい。類似する以前の試験についての情報を含む、選択されたコンポーネントの詳細もまた、表示されてもよく、ユーザが、現在の試験が他の試験または動作イベントに関連した方法を見ることを可能にする。
【０１０２】
図１３は、ユーザがシステム設定オプションを選択するときの例示的ＧＵＩ表示１３００の実施形態を示す。システム設定画面は、ソフトウェアの構成が、特定の装置環境のためのハードウェアおよびプロシージャに合致することを可能にし得る。設定オプションは、ＢＯＰシステムが機能するであろう方法についての選択を行うために使用されてもよい。これは、システム動作モードと、ダイバータ自動閉鎖シーケンスまたは緊急接続解除シーケンス等の自動シーケンスのための事前選択もしくはデフォルト選択肢とを含んでもよい。いくつかの変更は、適用するためにユーザログインを要求し、必要な証明書を有するユーザのみがシステム設定を変更し得ることを確実にし得る。
【０１０３】
ユーザはまた、ＢＯＰのコンポーネントを構成してもよい。これは、典型的には、装置上のＢＯＰ試運転時に、または機器への大規模オーバーホール中に行われるであろう。コンポーネントフィールド１３０２は、キャンバスゾーン２０６内に表示されるＢＯＰ図１３０４に追加されることができる、種々のコンポーネントを表示してもよい。ユーザは、ＢＯＰ図１３０４を設計図として使用し、仮想ＢＯＰスタックインターフェースを組み立ててもよい。構成フィールド１３０６は、全体的なシステムパラメータならびに詳細なコンポーネントパラメータを備えてもよい。アニュラ、防止装置、およびバルブの数を含む、全体的なスタック構成が、入力されることができる。いくつかの実施形態では、ユーザは、コンポーネントシンボル１３０８をクリックし、コンポーネントフィールド１３０２からＢＯＰ図１３０４の中の場所にドラッグしてもよい。ユーザは、ラインコンポーネント１３１０をドラッグしてドロップすることによって、チョークおよびキルラインをＢＯＰ図１３０４に追加してもよい。各コンポーネントは、システムの動作の全体を通して、保守計画を管理する際に使用され得る、具体的属性を有してもよい。いくつかの実施形態では、コンポーネントシンボル１３０８をクリックすることは、編集可能なインターフェースを開き、名称、製造業者情報、およびサイズを含む、コンポーネントの属性を入力してもよい。
【０１０４】
本システムは、システムをコンポーネント状態の既知の構成にする、いくつかの自動シーケンスを有してもよい。これらの構成は、動作に先立って定義されてもよく、以降の時間に事前定義されてもよい。本システムは、プログラマブルインターフェースを提供して、論理ベースの条件および反応を作成してもよい。例えば、封鎖等の油井制御アクティビティのための誘導プロシージャが、提供されてもよい。コンポーネントは、ユーザによって追加される、除去される、または並べ替えられることができる。
【０１０５】
いくつかの実施形態では、アラーム規則画面は、アラーム規則についての詳細な情報を視認する能力をユーザに許容し得、アラーム構成画面は、任意の数のアラームを構成する能力をユーザに許容し得る。例えば、ＢＯＰ制御システムは、重要掘削面積内のガスセンサからの入力で増補されてもよい。アラームは、これらのセンサによってトリガされてもよく、反応プロシージャは、システムによって開始されてもよい。アラームは、使用に基づいて保守期限にあるコンポーネント上でトリガするように構成可能であり得る。編集モードであるとき、アラームパラメータは、ラジオボタン、プルダウンリスト、およびテキストフィールドを含む、入力され得る情報のタイプに論理的にマップするフィールドになってもよい。
【０１０６】
随時、コンポーネントもしくはそれらの機能が故障するとき、または種々の動作段階もしくは状態の間に、オペレータは、インターフェース制御をロックアウトすることを所望し得る。オペレータは、具体的チャネル上で、または全てのチャネルにわたって機能を定義する能力を有してもよい。ロックアウトが変更されるとき、オペレータは、変更が発効するであろう前に、それらを適用する必要があり得る。変更はまた、破棄されてもよく、ロックアウトは、デフォルト状態に戻されてもよい。種々のシステムモードは、動作モードとしてオペレータによって定義され得るロックアウトを作成してもよい。各モードは、コンポーネントおよび状態の集合として定義されることができる。コンポーネントおよび状態は、ユーザによって追加、除去、または移動されてもよい。
【０１０７】
動作プロシージャは、アカウントアクセスが設定される方法を定義することができる。ログインアカウントが作成され、共有されてもよい、または個人に与えられてもよい。アカウントを構成するとき、アカウント情報が、表形式で表示されてもよい。基本的アカウント情報は、ユーザ名、パスワード、ファーストネーム、ラストネーム、Ｅメールアドレスおよび／または他の連絡先情報、オペレータ役割もしくはタイプ（例えば、海中技術者、掘削業者、掘削現場監督者等）、ならびにアクセスレベルを含んでもよい。アカウントのリストは、あるレベルのアカウント特権を持つ者によって編集可能であり得る。付加的情報は、各ユーザアカウントとともに記憶されてもよく、以前のアクティビティおよび最後のログイン時間／日付についての詳細を含んでもよい。
【０１０８】
図１４は、ユーザがアラームオプションを選択するときの例示的ＧＵＩ表示１４００の実施形態を示す。アラームは、機器の誤動作、プロセス逸脱、もしくは措置を要求する異常条件をユーザに示す可聴および／または可視手段であってもよい。アラームは、正常なプロセス条件ではなく、応答を要求する問題を示してもよい。アラーム概観画面は、最も緊急のアクティブアラームへの迅速アクセスをユーザに与え、ユーザが是正措置を講じることを可能にし得る。ユーザは、アラームページ上にある間に是正措置を実施してもよい、またはアラームイベントを受けているＢＯＰシステムページにナビゲートし、原因についての付加的コンテキストを取得してもよい。アラーム分析アイコン１４０２は、ユーザが「イベント別のアラーム応答時間」等のデータ可視化を視認して操作することができる、アラーム分析ページにユーザがナビゲートすることを可能にし得る。ユーザは、アラーム選択オプション１４０４を選択し、カテゴリ別にアラームにアクセスしてもよい。アクティブアラームが、選択され、デフォルトで示されてもよく、いくつかの実施形態では、全てのアクティブアラームが、常にユーザに示されてもよい。ユーザは、適切なアラーム選択オプション１４０４を選択することによって、アクティブアラームに加えて、見送られたアラームまたは全てのアラームを示すことを選定してもよい。いくつかの実施形態では、ユーザは、グローバル知識アイコン１４０６を選択し、一度に全てのアクティブアラームを確認するオプションを有する。便宜上、アラームリストは、ＰＤＦ文書としてエクスポートされることができる、またはリスト出力オプション１４０８を選択することによって印刷されることができる。アラームリストフィールド１４１０内で、アラームは、ユーザがアラームにわたって任意の依存状態があるかどうかを判定することができるように、それらが起こる順序に列挙されてもよい。ユーザは、アラームリストフィールド１４１０内のエントリを選択し、ステータスバー１４１２およびアラーム情報フィールド１４１４にデータ投入してもよい。選択されたアクティブアラームは、ステータスバー１４１２内で通知として出現してもよい。通知は、アラーム優先度レベルと、アラームメッセージとを含んでもよい。選択されたアラームの詳細は、アラーム情報フィールド１４１４内に出現し、残っている応答時間、アラーム反応時間、アラームを始動させた値の可視化、および影響を受けたシステムを含んでもよい。
【０１０９】
示される実施形態では、アラーム反応時間可視化は、アラームがトリガ、無音化、確認、および／または解除された時間をユーザに知らせてもよい。ユーザは、アラーム情報フィールド１４１４から影響を受けたシステム詳細を選択し、アラームおよびアラームに対処するための機能についての付加的詳細ならびにコンテキストを提供する表示にナビゲートしてもよい。アラームデータは、ユーザアラームアクティブ化ポイント、アラームの現在の値、およびアラームが起こった時間とアラームが解除された時間との間でアラーム値が変化した遷移を示すように、アラーム情報フィールド１４１４の中に提供されてもよい。示される実施形態では、アラーム情報フィールド１４１４は、アラームが確認された、または見送られた後に、ユーザがメモを取るためのフィールドを含んでもよい。いくつかの実施形態では、アラーム情報フィールド１４１４は、アクティブアラームを無視することの直接的結果、およびアラームを引き起こす問題を是正するためにユーザが講じ得る措置を列挙してもよい。アラーム概観バー１４１６が、表示されてもよく、全ての優先度レベルにわたってアクティブアラームの数を関連付けてもよい。アラーム概観バー１４１６は、全てのインターフェースオプションのために持続的にシステムヘッダ２０４内に表示されてもよい。任意のユーザが、アラームアクションボタン１４１８を選択することによって、アラームを無音化または確認してもよい。１つまたは複数のアラームオプションボタン１４２０を選択することによって、問題のアラームがアラーム保守中に識別されることができるように、任意のオペレータが、厄介なものとしてアラームにフラグを付けてもよい。過去アラームボタンは、ユーザが、本アラームタイプの事例の事前フィルタ処理されたリストを表示し得る、アラーム分析画面にナビゲートすることを可能にし得る。アラームを見送ることは、特定のアラームに利用可能である場合、それを見送ることを選定した状況を解説するメモを取るようにユーザを促してもよい。
【０１１０】
アラームがトリガされるとき、アラームメッセージが、画面の最上部におけるステータスバー１４１２の中に表示されてもよく、選択される画面にかかわらず、見られることができる。アラーム通知もまた、適用可能であるときに、警報コンポーネントの直接上に、またはその制御パネル内に出現してもよい。常に、ユーザはまた、右上のアラーム情報フィールド１４１４を介して、全体的なアラームステータスを見ることもできる。アラーム情報フィールド１４１４は、アラーム反応時間、アラームに関連するコンポーネントの分析、およびアラームによって影響を受けるシステムの表記等のカテゴリを含有してもよい。メモ、アラームの結果、および是正措置等の他のフィールドが、表示されてもよい。アラームがシステムによって検出されてトリガされるとき、可聴警告が鳴ってもよく、アラームメッセージがステータスバー１４１２内に出現してもよい。メッセージは、赤色の背景を有し、点滅してもよいが、優先度レベル数およびメッセージを表示するテキストは、ユーザによって容易に読み取られることができるように静的なままであってもよい。点滅は、オペレータがそのアラームのためにアラーム確認アクションボタン１４１８を選択するまで継続してもよい。オペレータは、無音ボタンを選択し、可聴警告音をオフにすることができる。アラーム概観画面にナビゲートするために、オペレータは、ステータスバー１４１２上のいずれかの場所をタップすることができる。いくつかの実施形態では、ユーザがＢＯＰスタック画面にアクセスしているとき、アラームインジケータが、警報コンポーネント上に出現してもよく、アラームが解除されるまで残留してもよい。
【０１１１】
ユーザがアラーム通知を見た後に、ユーザは、アラーム情報フィールド１４１４内の関連アラーム情報を詳細に精査してもよい。アラームは、ユーザによって解除および確認の両方が行われるまで、アラームリストフィールド１４１０内に残留してもよい。アラームリストフィールド内のアラームの全てをスクロールするために、ユーザは、スクロールボタンを使用することができる。ユーザは、アラームリストフィールド１４１０からそれを一時的に除去するために、アクティブアラームのためのアラームオプションボタン１４２０の中の見送るボタンをタップすることを選定してもよい。設定された持続時間（設定において調節されることができる）後、アラームは、任意の他のアラームのように管理されるために、アラームリストフィールド１４１０内に再び出現してもよい。
【０１１２】
図１５は、ユーザが緊急接続解除シーケンス（ＥＤＳ）オプションを選択するときの例示的ＧＵＩ表示１５００の実施形態を示す。ＥＤＳボタン１５０２は、全てのインターフェースオプションのために持続的に画面上にあり得る。プロセスを開始するために、オペレータは、ＥＤＳボタンを選択してもよく、これは、制御パネル１５０４を出現させ、透明な画面をインターフェースの残りの部分にわたって出現させ得る。これは、制御パネル１５０４をより目立たせ、破壊アクションが開始されていることをユーザに強力にシグナリングしてもよい。ユーザは、シーケンスタイプボタン１５０６のうちの１つまたは複数のものを選択することによって機能を発射する前に、シーケンスタイプを変更するオプションを有してもよい。ユーザは、次いで、チェックボックス１５０８を選択し、ＥＤＳを開始する意図を確認してもよい。本時点で、進むボタン１５１０は、無効にされてもよい。ユーザがチェックボックス１５０８を選択するとき、進むボタン１５１０は、アクティブ化されてもよい。ユーザが進むボタン１５１０を選択した後、シーケンスが開始してもよい。ＥＤＳと関連付けられる機器が機能する（例えば、チョークおよびキルラインを掛止解除する）と、説明するテキストが、機能進捗バーとともに出現してもよい。時間および体積値もまた、表示されてもよい。ＥＤＳシーケンスが進むと、ＢＯＰスタック上のコンポーネントは、色の変化、点滅、およびアイコン状態の変化を通して、それらのステータスを示してもよい。ＥＤＳシーケンスが完了したとき、ユーザが制御パネルを退けるために選択し得る、終了ボタン（図示せず）が、制御パネル１５０４の底部に出現してもよい。これが行われたとき、透明な画面は、除去されてもよい。ＢＯＰスタック上のコンポーネントへの変更は、ＢＯＰ画面上に示される、それらの現在の状態で反映されてもよい。
【０１１３】
図１６は、ＨＭＩシステムのある実施形態による、例示的クライアント・サーバインターフェースの実施形態を示す。いくつかの実施形態では、ＨＭＩシステムは、相互と相互作用し得る、１つまたは複数のクライアント１６０２と、１つまたは複数のサーバ１６０４とを備えてもよい。示される実施形態では、クライアント１６０２は、１つまたは複数のプロセッサ１６０６と、１つまたは複数のメモリデバイス１６０８と、ユーザインターフェース１６１０とを備える、ハードウェアコンピューティングデバイスであってもよい。示される実施形態では、サーバ１６０４は、１つまたは複数のプロセッサ１６１２と、１つまたは複数のソフトウェアアプリケーション１６１４とを備える、ハードウェアコンピューティングデバイスであってもよい。いくつかの実施形態では、ユーザは、ユーザインターフェース１６１０を通してクライアント１６０２にアクセスし、１つまたは複数のサーバ１６０４から１つまたは複数のソフトウェアアプリケーション１６１４にアクセスし、ＨＭＩシステムで利用可能な１つまたは複数の異なる機能を果たすようにクライアント１６０２に命令する、入力を入力してもよい。示される実施形態では、クライアント１６０２およびサーバ１６０４は、１つまたは複数の有線ならびに／もしくは無線ネットワーク１６１６（例えば、Ｅｔｈｅｒｎｅｔ（登録商標）、ＷＡＮ、ＬＡＮ、Ｗｉ−Ｆｉ、電話交換ネットワーク、および／または同等物）を介して接続されてもよい。
【０１１４】
上記で説明される機能は、ウェブアプリケーションまたはモバイルデバイスアプリケーション等の複数のタイプのソフトウェアアプリケーションによって実施され得ることが理解され得る。ファームウェアおよび／またはソフトウェアで実装された場合、上記で説明される機能は、非一過性のコンピュータ可読媒体上に１つまたは複数の命令もしくはコードとして記憶されてもよい。実施例は、データ構造で符号化される非一過性のコンピュータ可読媒体、およびコンピュータプログラムで符号化される非一過性のコンピュータ可読媒体を含む。非一過性のコンピュータ可読媒体は、物理的コンピュータ記憶媒体である。物理的記憶媒体は、コンピュータによってアクセスすることができる、任意の利用可能な媒体であってもよい。限定ではなく一例として、そのような非一過性のコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、もしくは命令またはデータ構造の形態で所望のプログラムコードを記憶するために使用されることができ、かつコンピュータによってアクセスされることができる、任意の他の物理的媒体を備えることができる。ディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、およびＢｌｕ−ｒａｙ（登録商標）ディスクを含む。概して、ディスク（ｄｉｓｋ）は、データを磁気的に複製し、ディスク（ｄｉｓｃ）は、データを光学的に複製する。上記の組み合わせもまた、非一過性のコンピュータ可読媒体の範囲内に含まれる。また、上記で説明される機能は、ソフトウェアではなく、全て非一過性である、カスタムＶＬＳＩ回路またはゲートアレイを備えるハードウェア回路、論理チップ、トランジスタ、または他の離散コンポーネント等の既製の半導体等の専用デバイスを通して達成されてもよい。付加的実施例は、全て非一過性である、フィールドプログラマブルゲートアレイ、プログラマブルアレイ論理、プログラマブル論理デバイス、または同等物等のプログラマブルハードウェアデバイスを含む。なおもさらなる実施例は、特定用途向け集積回路（ＡＳＩＣ）または超大規模集積（ＶＬＳＩ）回路を含む。実際、当業者は、説明される実施形態による、論理演算を実行することが可能な任意の数の好適な構造を利用してもよい。
【０１１５】
上記の明細書および実施例は、例証的実施形態の構造ならびに使用の完全な説明を提供する。ある実施形態が、ある程度詳細に、もしくは１つまたは複数の個々の実施形態を参照して、上記で説明されているが、当業者は、本発明の範囲から逸脱することなく、開示される実施形態に多数の改変を行い得る。したがって、開示される方法、デバイス、およびシステムの種々の例証的実施形態は、開示される特定の形態に限定されることを意図するものではない。むしろ、請求項の範囲内にある全ての修正および代替を含み、示されるもの以外の実施形態は、描写される実施形態の特徴の一部または全部を含んでもよい。例えば、コンポーネントは、一体型構造として組み合わせられてもよく、および／または接続は、代用されてもよい。さらに、適切である場合、上記で説明される実施例のうちのいずれかの側面は、同等または異なる特性を有し、同一もしくは異なる問題に対処する、さらなる実施例を形成するように、説明される他の実施例のうちのいずれかの側面と組み合わせられてもよい。同様に、上記で説明される利益および利点は、一実施形態に関し得る、またはいくつかの実施形態に関し得ることが理解されるであろう。
【０１１６】
ミーンズ・プラス・ファンクション（ｍｅａｎｓ−ｐｌｕｓ−ｆｕｎｃｔｉｏｎ）またはステップ・プラス・ファンクション（ｓｔｅｐ−ｐｌｕｓ−ｆｕｎｃｔｉｏｎ）制限が、それぞれ、所与の請求項において「〜するための手段（ｍｅａｎｓ  ｆｏｒ）」または「〜するためのステップ（ｓｔｅｐ  ｆｏｒ）」という語句を使用して明示的に記載されない限り、請求項は、そのような制限を含むことを意図しておらず、かつ含むと解釈されるべきではない。
【図１】
2019517703.tif 000003
【図２】
2019517703.tif 000004
【図３Ａ】
2019517703.tif 000005
【図３Ｂ】
2019517703.tif 000006
【図４Ａ】
2019517703.tif 000007
【図４Ｂ】
2019517703.tif 000008
【図５】
2019517703.tif 000009
【図６】
2019517703.tif 000010
【図７】
2019517703.tif 000011
【図８Ａ】
2019517703.tif 000012
【図８Ｂ】
2019517703.tif 000013
【図８Ｃ】
2019517703.tif 000014
【図８Ｄ】
2019517703.tif 000015
【図９】
2019517703.tif 000016
【図１０】
2019517703.tif 000017
【図１１】
2019517703.tif 000018
【図１２】
2019517703.tif 000019
【図１３】
2019517703.tif 000020
【図１４】
2019517703.tif 000021
【図１５】
2019517703.tif 000022
【図１６】
2019517703.tif 000023
【国際調査報告】
2019517703.tif 000024